(57)【特許請求の範囲】
【請求項１】
デジタル放送を受信するとともに、移動用通信装置と通信可能なデジタル放送受信機であって、
受信したデジタル放送の放送信号のうち選択された番組の放送信号から少なくとも映像データを含む番組データを取得するｎ個（ｎは自然数）の受信部と、
録画予約された番組を示す録画予約情報を保持する情報保持部と、
前記情報保持部に保持される録画予約情報に基づいて前記ｎ個の受信部により取得される番組の番組データを第１の番組の番組データとして記録するデータ記録部と、
前記情報保持部に保持された録画予約情報に基づいて同一時刻に録画が要求される番組の数を録画要求数として判別するとともに、録画要求数がｎ個を超える場合に前記データ記録部に記録されない番組の番組データを第２の番組の番組データとして判別し、後述する録画指示情報により指示された第２の番組の番組データを前記移動用通信装置が取得することが不可能であることを示すデータ取得不可信号が後述する通信部により受信された場合に元の第１の番組のいずれかを新たな第２の番組に変更するとともに元の第２の番組を新たな第１の番組に変更する判別部と、
録画要求数がｎ個を超える場合に前記第２の番組及び前記新たな第２の番組の番組データの録画を指示するための録画指示情報を前記移動用通信装置に送信する通信部と、
を備えるデジタル放送受信機。
【請求項２】
デジタル放送を受信するとともに、移動用通信装置と通信可能なデジタル放送受信機であって、
受信したデジタル放送の放送信号のうち選択された番組の放送信号から少なくとも映像データを含む番組データを取得し、当該ｎ個（ｎは自然数）の受信部のうちいずれかは、後述する第２の番組の放送信号を間欠的に選択するｎ個（ｎは自然数）の受信部と、
録画予約された番組を示す録画予約情報を保持する情報保持部と、
前記情報保持部に保持される録画予約情報に基づいて前記ｎ個の受信部により取得される番組の番組データを第１の番組の番組データとして記録するデータ記録部と、
前記情報保持部に保持された録画予約情報に基づいて同一時刻に録画が要求される番組の数を録画要求数として判別するとともに、録画要求数がｎ個を超える場合に前記データ記録部に記録されない番組の番組データを第２の番組の番組データとして判別する判別部と、
録画要求数がｎ個を超える場合に前記第２の番組の番組データの録画を指示するための録画指示情報を前記移動用通信装置に送信する通信部と、
前記受信部により選択された放送信号からＩピクチャを抽出し、抽出したＩピクチャを記録するピクチャ記録部と、
前記移動用通信装置により記録された第２の番組の番組データを前記ピクチャ記録部により記録されたＩピクチャを用いて補正することにより復元番組データを作成する補正部と、
を備えるデジタル放送受信機。
【請求項３】
前記補正部は、前記ピクチャ記録部により記録されたＩピクチャと前記移動用通信装置により記録された第２の番組の番組データのＩピクチャとの差分に基づいて基準画像を作成し、作成された基準画像に基づいて前記第２の番組の番組データを補正することを特徴とする請求項２記載のデジタル放送受信機。
【請求項４】
前記補正部は、前記移動用通信装置により記録された第２の番組の番組データから動きベクトルを算出し、算出された動きベクトルに基づいて前記基準画像のブロックの画素値を第２の番組の番組データのＰピクチャにおいて対応するブロックの画素値に加算することにより復元番組データを作成することを特徴とする請求項３記載のデジタル放送受信機。
【請求項５】
前記補正部は、前記ピクチャ記録部により記録されたＩピクチャおよび前記移動用通信装置により記録された第２の番組の番組データのＰピクチャに基づいて前記復元番組データのＢピクチャを生成することを特徴とする請求項４記載のデジタル放送受信機。
【請求項６】
前記第２の番組の番組データのＩピクチャの周期を予め算出する周期算出部をさらに備え、
前記受信部は、前記周期算出部により算出された周期で第２の番組の放送信号を選択することを特徴とする請求項２記載のデジタル放送受信機。
【請求項７】
前記受信部により選択される第１の番組の放送信号のピクチャ間の差分値を検出するピクチャ差分検出部と、
前記ピクチャ差分検出部により検出された差分値が所定のしきい値以下であるか否かを判定する差分値判定部とをさらに備え、
前記受信部は、前記差分値が前記しきい値以下であると前記ピクチャ差分判定部により判定された場合に前記周期算出部により算出された周期で第２の番組の放送信号を選択することを特徴とする請求項２記載のデジタル放送受信機。
【請求項８】
デジタル放送を受信するデジタル放送受信機であって、
受信したデジタル放送の放送信号のうち選択された第１の番組の放送信号から少なくとも映像データを含む番組データを取得する受信部と、
前記第１の番組と異なる第２の番組の放送信号をＩピクチャの周期で間欠的に選択するように前記受信部を制御する制御部と、
前記受信部により選択された第２の番組の放送信号からＩピクチャを抽出する抽出部と、
前記受信部により取得される第１の番組の番組データおよび前記抽出部により抽出される第２の番組のＩピクチャを出力する出力回路と、
を備えるデジタル放送受信機。
【請求項９】
請求項１乃至７の何れかに記載のデジタル放送受信機と、
前記デジタル放送受信機から送信された録画指示情報を受信する第２の通信部と、前記第２の通信部により受信された録画指示情報に基づいて、受信したデジタル放送の放送信号のうち前記録画指示情報により指示された番組の放送信号から少なくとも映像データを含む番組データを取得する第２の受信部と、前記第２の受信部により取得される番組データを記録する第２のデータ記録部と、を含むデジタル放送の受信機能を有する移動用通信装置と、
を備えるデジタル放送受信システム。
【請求項１０】
前記移動用通信装置は、
地域、放送局および周波数の対応関係を示す対応情報を記録する対応情報記録部と、
現在位置を検出する位置検出部とをさらに備え、
前記第２の受信部は、前記第２の通信部により受信された録画指示情報、前記対応情報記録部に記録された対応情報および前記位置検出部により検出された現在位置に基づいて前記録画指示情報により指示された番組の周波数を特定し、特定された周波数に基づいて前記録画指示情報により指示された番組の放送信号を選択することを特徴とする請求項９記載のデジタル放送受信システム。
【請求項１１】
前記移動用通信装置は、
現在位置を検出する位置検出部をさらに備え、
前記第２の受信部は、前記第２の通信部により受信された周波数を含む録画指示情報および前記位置検出部により検出された現在位置に基づいて前記録画指示情報により指示された番組の周波数を特定し、特定された周波数に基づいて前記録画指示情報により指示された番組の放送信号を選択することを特徴とする請求項９記載のデジタル放送受信システム。
【請求項１２】
前記移動用通信装置は、
前記第２の通信部により受信された前記録画指示情報により指示された番組の番組データの取得が可能か否かを判別する第２の判別部をさらに含み、
前記第２の通信部は、前記録画指示情報により指示された番組の番組データの取得が不可能であると前記第２の判別部により判別された場合に、前記デジタル放送受信機に前記録画指示情報により指示された番組の番組データの取得が不可能であることを示すデータ取得不可信号を送信することを特徴とする請求項９記載のデジタル放送受信システム。
【発明の詳細な説明】
【技術分野】
【０００１】
本発明は、デジタル放送信号を受信するデジタル放送受信システム、デジタル放送受信機および移動用通信装置に関する。
【背景技術】
【０００２】
ビデオテープレコーダ等により番組を録画する際には、例えば新聞等の番組表にしたがって、目的とする番組を録画予約することにより、ユーザが屋外等にいる場合でも番組の録画が可能となる。
【０００３】
ところが、スポーツ中継等の番組は、予定された放送時間を延長して放送されることが多い。そのため、例えば新聞等の番組表にしたがってこのような番組を録画予約すると、放送時間が延長されることより、番組の延長部分が録画されないことがある。
【０００４】
このような課題を解決するため、例えば特許文献１に開示される録画予約システムにおいては、録画予約される番組、またはその前の番組の放送時間が延長される可能性があれば、その旨を示す警告画面がテレビジョン受像機に表示される。この場合、ユーザはこの警告表示に応じて録画予約の時間の延長を指定することができる。それにより、録画予約する番組またはその前の番組の放送時間が延長されたとしても、番組を最後まで録画することができる。
【特許文献１】特開平１０−２１６０１号公報
【発明の開示】
【発明が解決しようとする課題】
【０００５】
しかしながら、延長される可能性のある番組と、その番組の放送予定時間の終了後に他のチャンネルで開始する番組とが録画予約されている場合、先の番組の放送時間が延長されると、その延長時間内において先の番組と後の番組とが重複して放送される。この場合、上記特許文献１の録画予約システムでは、いずれか一方の番組しか録画することができない。
【０００６】
本発明の目的は、デジタル放送受信機で同時に選局可能な番組数を超える数の番組を録画することが可能なデジタル放送受信システムを提供することである。
【０００７】
本発明の他の目的は、デジタル放送受信機で同時に選局可能な番組数を超える数の番組の録画を可能とするデジタル放送受信機および移動用通信装置を提供することである。
【０００８】
本発明のさらに他の目的は、同時に選局可能な番組数を超える数の番組の番組データを出力することが可能なデジタル放送受信機を提供することである。
【課題を解決するための手段】
【０００９】
（１）本発明の一局面に従うデジタル放送受信システムは、デジタル放送を受信するデジタル放送受信機と、デジタル放送の受信機能を有する移動用通信装置とを備え、デジタル放送受信機は、受信したデジタル放送の放送信号のうち選択された番組の放送信号から少なくとも映像データを含む番組データを取得するｎ個（ｎは自然数）の第１の受信部と、録画予約された番組を示す録画予約情報を保持する情報保持部と、情報保持部に保持される録画予約情報に基づいてｎ個の第１の受信部により取得される番組の番組データを第１の番組の番組データとして記録する第１のデータ記録部と、情報保持部に保持された録画予約情報に基づいて同一時刻に録画が要求される番組の数を録画要求数として判別するとともに、録画要求数がｎ個を超える場合に、第１のデータ記録部に記録されない番組の番組データを第２の番組の番組データとして判別する第１の判別部と、録画要求数がｎ個を超える場合に、第２の番組の番組データの録画を指示するための録画指示情報を移動用通信装置に送信する第１の通信部とを含み、移動用通信装置は、デジタル放送受信機から送信された録画指示情報を受信する第２の通信部と、第２の通信部により受信された録画指示情報に基づいて、受信したデジタル放送の放送信号のうち第２の番組の放送信号から少なくとも映像データを含む番組データを取得する第２の受信部と、第２の受信部により取得される番組データを記録する第２のデータ記録部とを含むものである。
【００１０】
そのデジタル放送受信システムにおいては、デジタル放送受信機のｎ個の第１の受信部によりデジタル放送の放送信号のうち選択された番組の放送信号から少なくとも映像データを含む番組データが取得される。また、情報保持部により録画予約された番組を示す録画予約情報が保持される。
【００１１】
情報保持部に保持される録画予約情報に基づいてｎ個の第１の受信部により取得される番組の番組データが第１のデータ記録部により第１の番組の番組データとして記録される。
【００１２】
第１の判別部により、録画予約情報に基づいて同一時刻に録画が要求される番組の数が録画要求数として判別されるとともに、録画要求数がｎ個を超える場合に、第１のデータ記録部に記録されない番組の番組データが第２の番組の番組データとして判別される。録画要求数がｎ個を超える場合には、第１の通信部により第２の番組の番組データの録画を指示するための録画指示情報が移動用通信装置に送信される。
【００１３】
一方、移動用通信装置の第２の通信部により、デジタル放送受信機から送信された録画指示情報が受信されると、録画指示情報に基づいて、第２の受信部によりデジタル放送の放送信号のうち第２の番組の放送信号から少なくとも映像データを含む番組データが取得される。第２の受信部により取得される番組データは第２のデータ記録部により記録される。
【００１４】
このように、デジタル放送受信機により同一時刻に録画が要求される番組の数がｎ個の第１の受信部の数を超える場合には、ｎ個の第１の番組の番組データがデジタル放送受信機の第１のデータ記録部に記録されるとともに、移動用通信装置に残りの第２の番組の録画指示情報が送信される。それにより、第２の番組の番組データが移動用通信装置の第２のデータ記録部に記録される。したがって、デジタル放送受信機で同時に選局可能な番組数を超える数の番組を録画することが可能となる。その結果、使用者は、デジタル放送受信機で同時に選局可能な番組の数を超える数の番組を視聴することができる。
【００１５】
（２）本発明の他の局面に従うデジタル放送受信機は、デジタル放送を受信するとともに、移動用通信装置と通信可能なデジタル放送受信機であって、受信したデジタル放送の放送信号のうち選択された番組の放送信号から少なくとも映像データを含む番組データを取得するｎ個（ｎは自然数）の受信部と、録画予約された番組を示す録画予約情報を保持する情報保持部と、情報保持部に保持される録画予約情報に基づいてｎ個の受信部により取得される番組の番組データを第１の番組の番組データとして記録するデータ記録部と、情報保持部に保持された録画予約情報に基づいて同一時刻に録画が要求される番組の数を録画要求数として判別するとともに、録画要求数がｎ個を超える場合に、データ記録部に記録されない番組の番組データを第２の番組の番組データとして判別する判別部と、録画要求数がｎ個を超える場合に、第２の番組の番組データの録画を指示するための録画指示情報を移動用通信装置に送信する通信部とを備えるものである。
【００１６】
そのデジタル放送受信機においては、ｎ個の受信部によりデジタル放送の放送信号のうち選択された番組の放送信号から少なくとも映像データを含む番組データが取得される。また、情報保持部により録画予約された番組を示す録画予約情報が保持される。
【００１７】
情報保持部に保持される録画予約情報に基づいてｎ個の受信部により取得される番組の番組データがデータ記録部により第１の番組の番組データとして記録される。
【００１８】
判別部により、録画予約情報に基づいて同一時刻に録画が要求される番組の数が録画要求数として判別されるとともに、録画要求数がｎ個を超える場合に、データ記録部に記録されない番組の番組データが第２の番組の番組データとして判別される。録画要求数がｎ個を超える場合には、通信部により第２の番組の番組データの録画を指示するための録画指示情報が移動用通信装置に送信される。
【００１９】
このように、デジタル放送受信機により同一時刻に録画が要求される番組の数がｎ個の受信部の数を超える場合には、ｎ個の第１の番組の番組データがデジタル放送受信機のデータ記録部に記録されるとともに、移動用通信装置に残りの第２の番組の録画指示情報が送信される。
【００２０】
この場合、デジタル放送受信機から送信された第２の番組の録画指示情報に応じて、移動用通信装置が第２の番組の番組データを記録することにより、デジタル放送受信機で同時に選局可能な番組数を超える数の番組を録画することが可能となる。その結果、使用者は、デジタル放送受信機で同時に選局可能な番組の数を超える数の番組を視聴することができる。
【００２１】
（３）デジタル放送受信機は、受信したデジタル放送の放送信号から録画予約された番組の放送時間の延長を示す延長情報を抽出する抽出部をさらに備え、判別部は、抽出部により抽出された延長情報および情報保持部に保持された録画予約情報に基づいて録画要求数を判別するとともに、録画予約された番組の延長により録画要求数がｎ個を超える場合に、録画予約された番組の延長部分の番組データまたは他の番組の番組データを第２の番組の番組データとして判別してもよい。
【００２２】
この場合、録画予約された番組の延長により録画要求数がｎ個を超える場合に、録画予約された番組の延長部分の番組データまたは他の番組の番組データを移動用通信装置により記録することができる。
【００２３】
（４）デジタル放送受信機は、地域、放送局および周波数の対応関係を示す対応情報を記録する対応情報記録部をさらに備え、通信部は、対応情報記録部に記録された対応情報に基づいて録画を指示する第２の番組の周波数を特定し、特定された周波数を含む録画指示情報を移動用通信装置に送信してもよい。
【００２４】
この場合、デジタル放送受信機の対応情報記録部に地域、放送局および周波数の対応関係を示す対応情報が記録されているので、対応情報に基づいて録画を指示する第２の番組の周波数が特定され、特定された周波数を含む録画指示情報が移動用通信装置に送信される。
【００２５】
それにより、移動用通信装置において、録画指示情報により録画が指示された第２の番組の周波数の特定が容易となる。また、特定された周波数に基づいて容易に第２の番組の放送信号を選択することが可能となる。
【００２６】
また、デジタル放送受信機に設けられる対応情報記録部の記録容量を大きくすることにより、多数の地域の対応情報を記録することが可能となる。
【００２７】
（５）判別部は、録画指示情報により指示された第２の番組の番組データを移動用通信装置が取得することが不可能であることを示すデータ取得不可信号が通信部により受信された場合に、元の第１の番組のいずれかを新たな第２の番組に変更するとともに元の第２の番組を新たな第１の番組に変更し、通信部は、新たな第２の番組の番組データの録画を指示するための録画指示情報を移動用通信装置に送信してもよい。
【００２８】
第２の番組の放送信号の受信強度が低い場合または第２の番組の放送信号の周波数が不明な場合には、移動用通信装置により第２の番組の番組データの取得が不可能となる。この場合、元の第１の番組のいずれかが新たな第２の番組に変更されるとともに元の第２の番組が新たな第１の番組に変更される。それにより、移動用通信装置において、新たな第２の番組の番組データの取得が行われる。
【００２９】
（６）ｎ個の受信部のうちいずれかの受信部は、第２の番組の放送信号を間欠的に選択し、受信部により選択された放送信号からＩピクチャを抽出し、デジタル放送受信機は、抽出したＩピクチャを記録するピクチャ記録部と、移動用通信装置により記録された第２の番組の番組データをピクチャ記録部により記録されたＩピクチャを用いて補正することにより復元番組データを作成する補正部とをさらに備えてもよい。
【００３０】
この場合、データ記録部により第１の番組の番組データが記録されるとともに、ピクチャ記録部により第２の番組のＩピクチャが記録される。そして、移動用通信装置により記録された第２の番組の番組データのＢピクチャおよびＰピクチャが高画質のＩピクチャを用いて補正される。それにより、第２の番組の番組データから高画質の復元番組データを作成することが可能となる。
【００３１】
（７）補正部は、ピクチャ記録部により記録されたＩピクチャと移動用通信装置により記録された第２の番組の番組データのＩピクチャとの差分に基づいて基準画像を作成し、作成された基準画像に基づいて第２の番組の番組データを補正してもよい。
【００３２】
この場合、高画質のＩピクチャと第２の番組の番組データのＩピクチャとの差分に基づいて基準画像が作成され、基準画像に基づいて第２の番組の番組データのＢピクチャおよびＰピクチャが高画質に補正される。それにより、第２の番組の番組データからより高画質の復元番組データを作成することが可能となる。
【００３３】
（８）補正部は、移動用通信装置により記録された第２の番組の番組データから動きベクトルを算出し、算出された動きベクトルに基づいて基準画像のブロックの画素値を第２の番組の番組データのＰピクチャにおいて対応するブロックの画素値に加算することにより復元番組データを作成してもよい。
【００３４】
この場合、動画におけるＰピクチャが高画質に補正される。それにより、高画質の動画の復元番組データを作成することが可能となる。
【００３５】
（９）補正部は、ピクチャ記録部により記録されたＩピクチャおよび移動用通信装置により記録された第２の番組の番組データのＰピクチャに基づいて復元番組データのＢピクチャを生成してもよい。
【００３６】
この場合、高画質のＩピクチャおよび第２の番組の番組データのＰピクチャに基づいて高画質のＢピクチャが生成される。それにより、高画質の復元番組データを作成することが可能となる。
【００３７】
（１０）デジタル放送受信機は、第２の番組の番組データのＩピクチャの周期を予め算出する周期算出部をさらに備え、受信部は、周期算出部により算出された周期で第２の番組の放送信号を選択してもよい。
【００３８】
この場合、第２の番組の放送信号からＩピクチャを正確に抽出することが可能となる。
【００３９】
（１１）デジタル放送受信機は、受信部により選択される第１の番組の放送信号のピクチャ間の差分値を検出するピクチャ差分検出部と、ピクチャ差分検出部により検出された差分値が所定のしきい値以下であるか否かを判定する差分値判定部とをさらに備え、受信部は、差分値がしきい値以下であるとピクチャ差分判定部により判定された場合に周期算出部により算出された周期で第２の番組の放送信号を選択してもよい。
【００４０】
この場合、第１の番組の放送信号のピクチャの変化が小さい場合に第２の番組の放送信号が選択される。それにより、データ記録部に記録される第２の番組の番組データが劣化することが防止される。
【００４１】
（１２）本発明のさらに他の局面に従うデジタル放送受信機は、デジタル放送を受信するデジタル放送受信機であって、受信したデジタル放送の放送信号のうち選択された第１の番組の放送信号から少なくとも映像データを含む番組データを取得する受信部と、第１の番組と異なる第２の番組の放送信号をＩピクチャの周期で間欠的に選択するように受信部を制御する制御部と、受信部により選択された第２の番組の放送信号からＩピクチャを抽出する抽出部と、受信部により取得される第１の番組の番組データおよび抽出部により抽出される第２の番組のＩピクチャを出力する出力回路とを備えたものである。
【００４２】
そのデジタル放送受信機においては、受信部により受信されたデジタル放送の放送信号のうち選択された第１の番組の放送信号から少なくとも映像データを含む番組データが取得される。また、第２の番組の放送信号がＩピクチャの周期で間欠的に選択されるように受信部が制御部により制御される。さらに、受信部により選択された第２の番組の放送信号からＩピクチャが抽出部により抽出され、第１の番組の番組データおよび第２の番組のＩピクチャが出力回路により出力される。
【００４３】
それにより、同時に選局可能な番組の数を超える数の番組のデータを出力することが可能になる。この場合、第１の番組の番組データを用いて第１の番組を高画質の映像で表示することが可能になるとともに、第２の番組のＩピクチャを用いて第２の番組の映像を表示することが可能となる。その結果、使用者は、同時に選局可能な番組の数を超える数の番組を視聴することができる。
【００４４】
（１３）本発明のさらに他の局面に従う移動用通信装置は、デジタル放送の受信機能を有するとともに、デジタル放送受信機と通信可能な移動用通信装置であって、番組の番組データの録画を指示するための録画指示情報をデジタル放送受信機から受信する通信部と、通信部により受信された録画指示情報に基づいて、受信したデジタル放送の放送信号のうち番組の放送信号から少なくとも映像データを含む番組データを取得する受信部と、受信部により取得される番組データを記録するデータ記録部とを備えたものである。
【００４５】
その移動用通信装置においては、通信部によりデジタル放送受信機からの録画指示情報が受信されると、録画指示情報に基づいて、受信部によりデジタル放送の放送信号のうち録画指示情報により指示される番組の放送信号から少なくとも映像データを含む番組データが取得される。受信部により取得される番組データはデータ記録部により記録される。
【００４６】
この場合、デジタル放送受信機において同時に選局可能な番組数を超える数の番組の録画が要求されたとしても、デジタル放送受信機から移動用通信装置に録画指示情報が送信されることにより、録画指示情報により指示される番組の番組データが移動用通信装置のデータ記録部により記録される。
【００４７】
したがって、デジタル放送受信機で同時に選局可能な番組数を超える数の番組を録画することが可能となる。その結果、使用者は、デジタル放送受信機で同時に選局可能な番組の数を超える数の番組を視聴することができる。
【００４８】
（１４）移動用通信装置は、地域、放送局および周波数の対応関係を示す対応情報を記録する対応情報記録部と、現在位置を検出する位置検出部とをさらに備え、受信部は、通信部により受信された録画指示情報、対応情報記録部に記録された対応情報および位置検出部により検出された現在位置に基づいて録画が指示された番組の周波数を特定し、特定された周波数に基づいて番組の放送信号を選択してもよい。
【００４９】
この場合、対応情報記録部に地域、放送局および周波数の対応関係を示す対応情報が記録され、かつ位置検出部により現在位置が検出されるので、録画指示情報、対応情報および現在位置に基づいて録画が指示された番組の周波数が特定される。したがって、特定された周波数に基づいて容易に録画が指示された番組の放送信号を選択することが可能となる。
【００５０】
（１５）移動用通信装置は、現在位置を検出する位置検出部をさらに備え、受信部は、記通信部により受信された周波数を含む録画指示情報および位置検出部により検出された現在位置に基づいて録画が指示された番組の周波数を特定し、特定された周波数に基づいて番組の放送信号を選択してもよい。
【００５１】
デジタル放送受信機から移動用通信装置に送信される録画指示情報に番組の周波数が含まれている場合、録画指示情報および位置検出部により検出された現在位置に基づいて録画が指示された番組の周波数を容易に特定することができる。また、特定された周波数に基づいて容易に番組の放送信号を選択することが可能となる。
【００５２】
（１６）移動用通信装置は、通信部により受信された録画指示情報により指示された番組の番組データの取得が可能か否かを判別する判別部をさらに含み、通信部は、録画指示情報により指示された番組の番組データの取得が不可能であると判別部により判別された場合に、デジタル放送受信機に録画指示情報により指示された番組の番組データの取得が不可能であることを示すデータ取得不可信号を送信してもよい。
【００５３】
録画指示情報により指示された番組の放送信号の受信強度が低い場合またはその番組の放送信号の周波数が不明な場合には、受信部によりその番組の番組データの取得が不可能となる。
【００５４】
この場合、デジタル放送受信機にデータ取得不可信号を送信することにより、デジタル放送受信機は、録画指示情報により指示された番組の番組データを移動用通信装置が取得することが不可能であることを認識し、移動用通信装置に録画を指示する番組を変更することができる。それにより、移動用通信装置において、新たな番組の番組データの取得が行われる。
【発明の効果】
【００５５】
本発明によれば、デジタル放送受信機で同時に選局可能な番組数を超える数の番組を録画することが可能となる。
【００５６】
また、同時に選局可能な番組数を超える数の番組の番組データを出力することが可能となる
【発明を実施するための最良の形態】
【００５７】
以下、本発明の実施の形態に係るデジタル放送受信システムおよびデジタル放送受信機について、図面を参照して説明する。
【００５８】
（１）第１の実施の形態
（１−１）デジタル放送受信機の構成
図１は、本発明の第１の実施の形態に係るデジタル放送受信システムの概要を示すブロック図である。
【００５９】
図１に示すように、デジタル放送受信システム１００は、デジタル放送受信機１０および移動用通信装置４０により構成される。
【００６０】
デジタル放送受信機１０は、デジタル放送を受信可能なデジタルテレビまたはセットトップボックス（ＳＴＢ）等である。なお、本実施の形態では、デジタル放送受信機１０は、例えば１２セグメント放送信号を受信する。
【００６１】
移動用通信装置４０は、デジタル放送を受信可能な携帯電話、ＰＤＡ（携帯情報端末：Ｐｅｒｓｏｎａｌ  Ｄｉｇｉｔａｌ  Ａｓｓｉｓｔａｎｔ）または車載型受信機等である。また、移動用通信装置４０には、記録媒体５０が装着される。記憶媒体５０は、メモリカード等である。なお、本実施の形態では、移動用通信装置４０は例えば１セグメント放送信号を受信する。
【００６２】
図２は、図１のデジタル放送受信機１０の構成を示すブロック図である。
【００６３】
図２に示すように、デジタル放送受信機１０は、チューナ１１ａ，１１ｂ、番組記録部１２、延長情報抽出部１３、録画予約情報記録部１４、タイマー１５、情報送信部１６、情報受信部１９および制御部１７を備える。
【００６４】
チューナ１１ａ，１１ｂは、それぞれ選局部１１１、復調部１１２、分離部１１３、デコーダ１１４および出力回路１１５を含む。
【００６５】
選局部１１１は、放送局から送信される放送信号の周波数を選択することにより選局を行い、選局された放送信号を出力する。
【００６６】
復調部１１２は、選局部１１１から出力された放送信号を復調し、ＭＰＥＧ（Ｍｏｖｉｎｇ  Ｐｉｃｔｕｒｅ  Ｅｘｐｅｒｔｓ  Ｇｒｏｕｐ）規格に準拠したトランスポートストリーム（以下、ＴＳと呼ぶ）を出力する。
【００６７】
分離部１１３は、復調部１１２から出力されたＴＳにＭＰＥＧ規格に準拠したフィルタリング処理を行うことにより特定の番組に対応する映像ストリームおよび音声ストリーム、ならびに各種情報等を分離する。
【００６８】
デコーダ１１４は、分離部１１３から出力される音声ストリームおよび映像スクリームを復号して音声データおよび映像データを出力する。なお、本実施の形態のデジタル放送受信機１０においては、映像データは例えば水平走査線数１０８０本のプログレッシブ方式の映像フォーマットを有する。
【００６９】
出力回路１１５は、デコーダ１１４から出力される音声データおよび映像データをＤ／Ａ（デジタル／アナログ）変換し、音声信号をスピーカ１１７に出力するとともに、映像信号をモニタ１１６に出力する。なお、スピーカ１１７およびモニタ１１６は、デジタル放送受信機１０に内蔵されてもよく、あるいはデジタル放送受信機１０とは別個に設けられてもよい。
【００７０】
また、出力回路１１５は、音声データおよび映像データを番組記録部１２に出力する。
【００７１】
なお、デジタル放送受信機１０により同時に選局可能な放送信号の数は、チューナの数に等しい。本実施の形態では、チューナ１１ａおよびチューナ１１ｂの２つのチューナを備えるため、２つの放送信号を同時に選局することが可能である。
【００７２】
番組記録部１２は、出力回路１１５から出力された音声データおよび映像データを記録する。なお、番組記録部１２は、デジタル放送受信機１０の外部に設けられてもよい。
【００７３】
延長情報抽出部１３は、分離部１１３により分離された情報から延長開始情報および延長終了情報を抽出する。延長開始情報は、番組が延長されることを示し、番組の放送時間の延長が決定された際に放送局から送信される。延長終了情報は、延長された番組の終了時刻を示し、延長された番組の放送終了時刻が決定された際に放送局から送信される。以下、延長開始情報および延長終了情報を延長情報と総称する。
【００７４】
なお、延長情報抽出部１３は、例えばＥＰＧ（電子番組案内：Ｅｌｅｃｔｒｏｎｉｃ  Ｐｒｏｇｒａｍ  Ｇｕｉｄｅ）等の番組表から、番組の延長情報を抽出してもよい。
【００７５】
録画予約情報記録部１４には、ユーザが録画を要求する番組に関する情報（以下、録画予約情報と呼ぶ）が記録される。すなわち、所望の番組の録画予約情報が録画予約情報記録部１４に記録されることにより、その番組が録画予約される。
【００７６】
録画予約情報は、番組のチャンネル、番組名、番組の放送予定時間（放送開始予定時刻および放送終了予定時刻を含む）および番組内容等の番組を識別するための情報を含む。録画予約情報記録部１４への録画予約情報の記録（録画予約）は、ユーザがリモコン１８またはデジタル放送受信機１０の操作パネル（図示せず）を操作することにより行われる。
【００７７】
なお、録画予約情報記録部１４は、上記の番組記録部１２と一体であってもよい。
【００７８】
タイマー１５は、現在の時刻を示す時刻情報を制御部１７に出力する。
【００７９】
情報送信部１６は、図１に示した移動用通信装置４０に録画指示情報を送信する。録画指示情報は、移動用通信装置４０に録画を指示する番組の番組名および放送局を含む。詳細は後述する。
【００８０】
情報受信部１９は、図１に示した移動用通信装置４０から受信不可情報を受信する。受信不可情報は、移動用通信装置４０が、録画指示情報により指示された番組の放送信号を受信することができないことを示す。詳細は後述する。
【００８１】
制御部１７は、ユーザによるリモコン１８の操作、延長情報抽出部１３により抽出された延長情報、録画予約情報記録部１４に記録された録画予約情報、タイマー１５による時刻情報、および情報受信部１９により受信した受信不可情報に基づいて、デジタル放送受信機１０の各構成要素を制御する。制御部１７による制御処理の詳細については後述する。
【００８２】
次に、図１の移動用通信装置４０の構成について説明する。図３は、移動用通信装置４０の構成を示すブロック図である。
【００８３】
図３に示すように、移動用通信装置４０は、放送信号受信部４１、記録媒体入出力部４２、情報受信部４３、情報送信部４８、位置検出部４４、記録部４５および制御部４６を含む。
【００８４】
放送信号受信部４１は、放送局から送信される放送信号の周波数を選択することにより選局を行うとともに、その放送信号から、指示された番組の音声データおよび映像データを復号する。なお、本実施の形態の移動用通信装置４０においては、映像データは例えば水平走査線数５２５本のプログレッシブ方式の映像フォーマットを有する。
【００８５】
記録媒体入出力部４２は、放送信号受信機４１により得られた音声データおよび映像データを記録媒体５０に入出力する。
【００８６】
なお、記録媒体入出力部４２と記録媒体５０とが一体に構成されてもよく、記録媒体入出力部４２に対して記録媒体５０が脱着可能に設けられてもよい。
【００８７】
情報受信部４３は、デジタル放送受信機１０の情報送信部１６（図２）から送信される録画指示情報を受信する。
【００８８】
情報送信部４８は、デジタル放送受信機１０の情報受信部１９（図２）に受信不可情報を送信する。
【００８９】
位置検出部４４は、例えばＧＰＳ（Ｇｌｏｂａｌ  Ｐｏｓｉｔｉｏｎｉｎｇ  Ｓｙｓｔｅｍ）を用いて、移動用通信装置４０の現在位置を示す位置情報を出力する。
【００９０】
記録部４５には、所望の放送局の放送信号に対応するチャンネル情報が記録される。
【００９１】
ここで、各放送局の放送信号に対応するチャンネルは、移動用通信装置４０がどの地域に位置するかにより異なる。
【００９２】
図４は、各放送局の放送信号に対応するチャンネルの一例である。図４によれば、例えばＡ放送局の放送信号に対応するチャンネルは、ａ地域において３ｃｈであり、ｂ地域において３４ｃｈである。このように、同じ放送局の放送信号を受信する場合でも、移動用通信装置４０が位置する地域によって異なるチャンネルを設定する必要がある。
【００９３】
なお、本実施の形態において、記録部４５には、予め定められた地域に対応するチャンネル情報が記録される。例えば、図４におけるａ地域およびｂ地域に対応するチャンネル情報が記録部４５に記録される。
【００９４】
なお、各チャンネルには中心周波数が割り当てられている。例えば、１３ｃｈには４７３．１４ＭＨｚが割り当てられ、１４ｃｈには４７９．１４ＭＨｚが割り当てられ、１５ｃｈには４８５．１４２ＭＨｚが割り当てられている。
【００９５】
制御部４６は、情報受信部４３により受信された録画指示情報、位置検出部４４により検出された位置情報、および記録部４５に記録されるチャンネル情報に基づいて、移動用通信装置４０の各部を制御する。制御部４６による制御処理については後述する。
【００９６】
（１−２）録画時における制御処理
次に、録画予約された番組（以下、予約番組と呼ぶ。）をデジタル放送受信システム１００により録画する際の制御処理について説明する。
【００９７】
（１−２−１）第１の制御例
第１の制御例においては、放送時間が延長される可能性のある番組が、予約番組として録画予約されており、また、予約番組の放送予定時間内においては、他の番組が録画予約されていない場合について説明する。
【００９８】
図５は、デジタル放送受信機１０の制御部１７による第１の制御例を示すフローチャートである。図６は、移動用通信装置４０の制御部４６による第１の制御例を示すフローチャートである。
【００９９】
また、図７は、番組の放送予定表の一例である。図７において、予約番組は、例えばＡ放送局で１８時から２１時まで放送される野球中継である。
【０１００】
まず、図２および図５を参照して、デジタル放送受信機１０の制御部１７による第１の制御例について説明する。
【０１０１】
制御部１７は、録画予約情報記録部１４に記録されている録画予約情報およびタイマー１５による時刻情報に基づいて、番組記録部１２による予約番組の録画を開始する（ステップＳ１）。
【０１０２】
次に、制御部１７は、延長情報抽出部１３により延長開始情報が抽出されたか否かを判定する（ステップＳ２）。ここで、上述のように、延長開始情報は予約番組の放送時間の延長が決定した際に、放送局から送信される。すなわち、延長情報抽出部１３により延長開始情報が抽出された場合は、予約番組の放送時間の延長が決定しており、延長情報抽出部１３により延長開始情報が抽出されていない場合は、予約番組の放送時間の延長がまだ決定していない。
【０１０３】
延長情報抽出部１３により延長開始情報が抽出された場合、制御部１７は、録画予約情報記録部１４に記録された録画予約情報に基づいて、予約番組の延長時間内に他の番組が録画予約されているか否かを判定する（ステップＳ３）。
【０１０４】
他の番組が録画予約されている場合、制御部１７は、録画予約されている他の番組と予約番組との合計数（以下、録画要求数と呼ぶ）がチューナ数よりも多いか否かを判定する（ステップＳ４）。
【０１０５】
本実施の形態では、上述のように、デジタル放送受信機１０が、２つのチューナ１１ａ，１１ｂを有する。したがって、録画要求数が３以上であれば、制御部１７は、録画要求数がチューナ数よりも多いと判定し、録画要求数が２以下であれば、制御部１７は、録画要求数がチューナ数以下であると判定する。
【０１０６】
録画要求数がチューナ数よりも多い場合、制御部１７は、情報送信部１６により予約番組の録画指示情報を移動用通信装置４０に送信する（ステップＳ５）。この場合、録画指示情報には、予約番組の番組名および放送局が含まれる。図７の例では、野球中継以外にＢ放送局のドラマおよびａ放送局のサッカー中継が録画予約されている場合、制御部１７は、予約番組の録画指示情報を移動用放送受信機４０に送信する。この場合、録画指示情報には、番組名として野球中継が含まれ、放送局としてＡ放送局が含まれる。
【０１０７】
次に、制御部１７は、録画予約情報記録部１４に記録されている録画予約情報およびタイマー１５による時刻情報に基づいて、現時刻が予約番組の放送終了予定時刻であるかを判定する（ステップＳ６）。
【０１０８】
現時刻が予約番組の放送終了予定時刻である場合、制御部１７は、予約番組の録画を終了する（ステップＳ７）。同時に、制御部１７は、他の番組の録画を開始する。図７の例では、制御部１７は、野球中継の録画を終了し、ドラマおよびサッカー中継の録画を開始する。
【０１０９】
一方、ステップＳ２において、延長開始情報が抽出されていない場合、制御部１７は、録画予約情報記録部１４に記録されている録画予約情報およびタイマー１５による時刻情報に基づいて、現時刻が予約番組の放送終了予定時刻であるか否かを判定する（ステップＳ８）。
【０１１０】
現時刻が録画予約の放送終了予定時刻である場合、制御部１７は、番組記録部１２による予約番組の録画を終了する（ステップＳ７）。図７の例では、制御部１７は、野球中継の録画を終了する。
【０１１１】
ステップＳ８において、現時刻が録画予約の放送終了予定時刻でない場合、制御部１７は、ステップＳ２の処理に戻る。
【０１１２】
また、ステップＳ３において、他の番組が録画予約されていない場合、制御部１７は、予約番組の放送終了予定時刻後においても番組記録部１２による予約番組の録画を継続して行う（ステップＳ９）。図７の例では、野球中継以外に録画予約されていない場合には、制御部１７は、延長された野球中継の録画を継続する。
【０１１３】
次に、制御部１７は、延長情報抽出部１３により予約番組の延長終了情報が抽出されたか否かを判定する（ステップＳ１０）。
【０１１４】
延長情報抽出部１３により予約番組の延長終了情報が抽出された場合、制御部１７は、予約番組の延長終了情報およびタイマー１５による時刻情報に基づいて現時刻が予約番組の放送終了時刻であるか否かを判定する（ステップＳ１１）。
【０１１５】
現時刻が予約番組の放送終了時刻である場合、制御部１７は、番組記録部１２による予約番組の録画を終了する（ステップＳ７）。図７の例では、制御部１７は、野球中継の録画を終了する。
【０１１６】
ステップＳ１０において、延長情報抽出部１３により予約番組の延長終了情報が抽出されていない場合、制御部１７は、ステップＳ１０の判定を繰り返す。
【０１１７】
ステップＳ１１において、現時刻が予約番組の放送終了時刻でない場合、制御部１７は、現時刻が予約番組の放送終了時刻になるまで待機する。
【０１１８】
また、ステップＳ４において、録画要求数がチューナ数以下の場合、制御部１７は、予約番組の放送終了予定時刻後においても番組記録部１２による予約番組の録画を継続して行うとともに（ステップＳ１２）、録画予約情報および時刻情報に基づいて番組記録部１２による他の番組の録画を開始する（ステップＳ１３）。図７の例では、野球中継以外にＢ放送局のドラマのみが録画予約されている場合には、制御部１７は、延長された野球中継の録画を継続するとともに、ドラマの録画を開始する。
【０１１９】
その後、制御部１７は、ステップＳ１０およびステップＳ１１の処理を介して、予約番組の録画を終了する（ステップＳ７）。図７の例では、制御部１７は、延長された野球中継の録画を終了する一方で、ドラマの録画を継続する。
【０１２０】
また、ステップＳ６において、現時刻が予約番組の放送終了予定時刻でない場合、制御部１７は、現時刻が予約番組の放送終了予定時間になるまで待機する。
【０１２１】
次に、図３および図６を参照して、移動用通信装置４０の制御部４６による制御処理について説明する。
【０１２２】
まず、制御部４６は、情報受信部４３により録画指示情報が受信されたか否かを判定する（ステップＳ２１）。なお、第１の制御例において、情報受信部４３により受信される録画指示情報は、予約番組の番組名および放送局を含む。図７の例では、番組名として野球中継が含まれ、放送局としてＡ放送局が含まれる。
【０１２３】
ステップＳ２１において、録画指示情報が受信されていない場合、制御部４６は、ステップＳ２１の判定を繰り返す。
【０１２４】
録画指示情報が受信された場合、制御部４６は、位置検出部４４により検出された位置情報を取得する（ステップＳ２２）。
【０１２５】
次に、制御部４６は、位置検出部４４から取得した位置情報、および記録部４５に記録されているチャンネル情報に基づいて、録画指示情報に示される番組を受信するための周波数を特定可能か否かを判定する（ステップＳ２３）。
【０１２６】
この場合、録画指示情報に示される番組が、移動用通信装置４０の現在地において放送されていれば、その放送信号を受信するための周波数を特定することができる。具体的には、位置情報から地域が特定され、その特定された地域における各放送局のチャンネルがチャンネル情報から特定される。それにより、録画指示情報に示される放送局の周波数を特定することができる。
【０１２７】
一方、録画指示情報に示される番組が、移動用通信装置４０の現在地において放送されていなければ、その放送信号を受信するための周波数を特定することができない。
【０１２８】
図７の例において、録画指示情報に示される放送局はＡ放送局である。この場合、図４の例において、例えば、移動用通信装置４０がａ地域に位置すれば、周波数（チャンネル）は３ｃｈの周波数に特定することができる。
【０１２９】
ステップＳ２３において、周波数を特定可能な場合、制御部４６は、周波数を特定し（ステップＳ２４）、その特定された周波数に基づいて放送信号受信部４１による選局を行う（ステップＳ２５）。
【０１３０】
なお、チャンネル情報として記録されている地域以外の地域に移動用通信装置４０が位置する場合、ユーザが、制御部４６の代わりにキー操作により周波数（チャンネル）を特定することにより選局してもよい。
【０１３１】
次に、制御部４６は、放送信号受信部４１による受信強度がしきい値以上であるか否かを判定する（ステップＳ２６）。例えば、移動用通信装置５０が高速で移動中の場合、または移動用通信装置５０が電波の届かない場所にある場合には、放送信号受信部４１による受信強度が低くなる。
【０１３２】
受信強度がしきい値以上である場合、録画指示情報から特定される放送局の放送信号が、放送信号受信部４１により正常に受信される。この場合、制御部４６は、受信された番組（予約番組）を記録媒体入出力部４２を通して記録媒体５０に録画し（ステップＳ２７）、録画終了後、処理を終了する。図７の例では、制御部４６は、延長された野球中継を録画する。
【０１３３】
一方、ステップＳ２３において、周波数を特定することができない場合、制御部４６は、移動用通信装置４０の表示部（図示せず）により、録画指示情報に示される番組を受信することができない旨を表示し（ステップＳ２８）、処理を終了する。
【０１３４】
また、ステップＳ２６において、放送信号受信部４１による受信強度がしきい値より低い場合には、録画指示情報から特定される放送局の放送信号が放送信号受信部４１により正常に受信されない。この場合、制御部４６は、ステップＳ２８の処理に進む。
【０１３５】
以上のように、第１の制御例では、予約番組の放送時間の延長により録画要求数がチューナの数よりも多くなった場合、デジタル放送受信機１０から移動用通信装置４０に予約番組の録画指示情報が送信され、移動用通信装置４０の記録媒体５０による予約番組の録画が開始される。この場合、デジタル放送受信機１０の番組記録部１２により他の番組が録画される。それにより、延長された予約番組および他の番組を最後まで録画することができる。
【０１３６】
なお、移動用通信装置４０の記録媒体５０による予約番組の録画の開始は、録画指示情報の受信時であってもよく、または予約番組の延長開始時であってもよい。例えば録画指示情報に延長開始時刻を加えることにより、記録媒体５０による予約番組の録画の開始時刻を予約番組の延長開始時刻に合わせることができる。
【０１３７】
また、本例では、予約番組を移動用通信装置４０の記録媒体５０により録画し、他の２つの番組をデジタル放送受信機１０の番組記録部１２により録画したが、他の２つの番組のうち一方の番組と予約番組とをデジタル放送受信機１０の番組記録部１２により録画し、他の２つの番組のうち他方の番組を移動用通信装置４０の記録媒体５０により録画してもよい。その場合、デジタル放送受信機１０の制御部１６は、他の２つの番組のうち他方の番組の録画指示情報を情報送信部１６により移動用通信装置４０に送信するとともに、番組記録部１２により予約番組を継続して録画する。
【０１３８】
（１−２−２）第２の制御例
第２の制御例においては、放送時間が延長される可能性のない番組を予約番組として録画予約している場合について説明する。図７において、予約番組は、例えばｂ放送局で１８時から２２時まで放送されるバラエティーである。
【０１３９】
図８は、デジタル放送受信機１０の制御部１７による第２の制御例を示すフローチャートである。
【０１４０】
以下、図２および図８を参照して、デジタル放送受信機１０の制御部１７による第２の制御例について説明する。
【０１４１】
まず、制御部１７は、録画予約情報記録部１４に記録されている録画予約情報およびタイマー１５による時刻情報に基づいて番組記録部１２による予約番組の録画を開始する（ステップＳ３１）。
【０１４２】
次に、制御部１７は、録画予約情報記録部１４に記録されている録画予約情報に基づいて、予約番組の放送予定時間内に他の番組が録画予約されているか否かを判定する（ステップＳ３２）。
【０１４３】
予約番組の放送予定時間内に他の番組が録画予約されている場合、制御部１７は、録画予約されている他の番組と予約番組との合計数（以下、予約重複数と呼ぶ）がチューナ数よりも多いか否かを判定する（ステップＳ３３）。なお、上述のように、本実施の形態ではチューナ数は２である。
【０１４４】
予約重複数がチューナ数よりも多い場合、制御部１７は、情報送信部１６により予約番組の録画指示情報を移動用通信装置４０に送信する（ステップＳ３４）。この場合、録画指示情報には、予約番組の番組名および放送局が含まれる。図７の例では、バラエティー以外にＢ放送局のドラマおよびａ放送局のサッカー中継が録画予約されている場合、制御部１７は、録画指示情報を移動用通信装置４０に送信する。この場合、録画指示情報には、番組名としてバラエティーが含まれ、放送局としてｂ放送局が含まれる。
【０１４５】
そして、制御部１７は、録画予約情報および時刻情報に基づいて他の番組の放送の開始時刻に番組記録部１２による予約番組の録画を終了する（ステップＳ３５）。同時に、制御部１７は、番組記録部１２による他の番組の録画を開始する。図７の例では、制御部１７は、バラエティーの録画を終了し、ドラマの録画を開始する。
【０１４６】
一方、ステップＳ３２において、他の番組が録画予約されていない場合、制御部１７は、録画予約情報記録部１４に記録されている録画予約情報およびタイマー１５による時刻情報に基づいて、現時刻が予約番組の放送終了予定時刻であるか否かを判定する（ステップＳ３６）。図７の例では、バラエティーのみが録画予約されている場合、現在時刻がバラエティーの放送終了予定時刻であるか否かを判定する。
【０１４７】
予約番組の放送終了予定時間である場合、制御部１７は、番組記録部１２による予約番組の録画を終了する（ステップＳ３５）。図７の例では、制御部１７は、バラエティーの録画を終了する。
【０１４８】
ステップＳ３６において、予約番組の放送終了予定時間でない場合、制御部１７は、現時刻が予約番組の放送終了予定時刻になるまで待機する。
【０１４９】
また、ステップＳ３３において、予約重複数がチューナの数以下の場合、制御部１７は、番組記録部１２による予約番組の録画を継続して行うとともに、録画予約情報および時刻情報に基づいて、他の番組の録画を開始する（ステップＳ３７）。図７の例では、バラエティー以外に例えばＢ放送局のドラマが録画予約されている場合に、制御部１７は、バラエティーの録画を継続するとともに、ドラマの録画を開始する。その後、制御部１７は、ステップＳ３６の処理に進む。
【０１５０】
移動用通信装置４０の制御部４６による制御処理は、上記第１の制御例における制御処理（図６参照）と同様である。
【０１５１】
以上のように、第２の制御例では、予約番組の放送時間内に他の番組が録画予約されることにより録画要求数がチューナ数よりも多くなった場合、デジタル放送受信機１０から移動用通信装置４０に予約番組の録画指示情報が送信され、移動用通信装置４０の記録媒体５０による予約番組の録画が開始される。この場合、デジタル放送受信機１０の番組記録部１２により他の１つの番組が録画される。それにより、予約番組および他の番組を最後まで録画することができる。
【０１５２】
なお、第２の制御例では、他の番組の放送開始時に番組記録部１２による予約番組の録画が終了されるが、デジタル放送受信機１０の情報送信部１６による録画指示情報の送信時に、番組記録部１２による予約番組の録画が終了されてもよい。
【０１５３】
また、本例では、予約番組を移動用通信装置４０の記録媒体５０により録画し、他の２つの番組をデジタル放送受信機１０の番組記録部１２により録画したが、他の２つの番組のうち一方の番組と予約番組とをデジタル放送受信機１０の番組記録部１２により録画し、他の２つの番組のうち他方の番組を移動用通信装置４０の記録媒体５０により録画してもよい。その場合、デジタル放送受信機１０の制御部１６は、他の２つの番組のうち他方の番組の録画指示情報を情報送信部１６により移動用通信装置４０に送信するとともに、番組記録部１２により予約番組を継続して録画する。
【０１５４】
（１−２−３）第３の制御例
第３の制御例では、図６のステップＳ２３において、周波数を特定することができない場合、またはステップＳ２６において、放送信号受信部４１による受信強度がしきい値より低い場合に、移動用通信装置４０の制御部４６は、情報送信部４８により受信不可情報をデジタル放送受信機１０に送信する。なお、図６のステップＳ２８の処理は、行われなくてもよい。
【０１５５】
この場合、デジタル放送受信機１０の制御部１７は、図６のステップＳ１１または図８のステップＳ３６において情報送信部１６により予約番組の録画指示情報を移動用通信装置４０に送信した後、以下に示す録画指示情報切替処理を行う。
【０１５６】
図９は、デジタル放送受信機１０の制御部１７による録画指示情報切替処理のフローチャートである。以下、図２および図９を参照して、デジタル放送受信機１０の制御部１７による録画指示情報切替処理について説明する。
【０１５７】
制御部１７は、図６のステップＳ１１または図８のステップＳ３６において、情報送信部１６により予約番組の録画指示情報を移動用通信装置４０に送信した後、情報受信機１９により受信不可情報を受信したか否かを判定する（ステップＳ５１）。
【０１５８】
情報受信機１９により受信不可情報を受信した場合には、情報送信部１６により他の番組のうち一方の番組（例えば、図７において、Ｂ放送局のドラマ）の録画指示情報を移動用通信装置４０に送信する（ステップＳ５２）。
【０１５９】
次に、制御部１７は、情報受信機１９により受信不可情報を再度受信したか否かを判定する（ステップＳ５３）。
【０１６０】
受信不可情報を再度受信した場合、制御部４６は、情報送信部１６により他の番組のうち他方の番組（例えば、図７において、ａ放送局のサッカー中継）の録画指示情報を移動用通信装置４０に送信する（ステップＳ５４）。
【０１６１】
次に、制御部１７は、番組記録部１２により予約番組の延長部分の録画を継続して行うとともに（ステップＳ５５）、他の番組のうち一方の番組の録画を開始する（ステップＳ５６）。
【０１６２】
その後、制御部１７は、予約番組の放送終了時刻に合わせて、番組記録部１２による予約番組の録画を終了する（ステップＳ５７）。
【０１６３】
一方、ステップＳ５１において、受信不可情報を受信していない場合、制御部１７は、図５のステップＳ６または図８のステップＳ３５の処理へ進む。なお、情報受信機１９により受信不可情報を受信していない場合において、制御部１７は、ステップＳ５１の判定を所定の期間繰り返し行ってもよい。
【０１６４】
また、ステップＳ５３において、受信不可情報を受信していない場合、制御部１７は、番組記録部１２により予約番組の録画を継続して行うとともに（ステップＳ５８）、録画予約情報および時刻情報に基づいて他の番組のうち他方の番組（例えば、図７において、ａ放送局のサッカー中継）の録画を開始する（ステップＳ５９）。その後、制御部１７は、ステップＳ５７の処理に進む。
【０１６５】
以上のように、第３の制御例では、予約番組の放送信号が移動用通信装置４０の放送信号受信部４１により正常に受信されない場合、デジタル放送受信機１０から移動用通信装置４０に他の番組の録画指示情報が送信される。
【０１６６】
この場合、移動用通信装置４０の制御部４６による制御処理（図６および図９参照）が再度行われる。すなわち、デジタル放送受信機１０から予約番組の録画指示情報が送信された場合、およびデジタル放送受信機１０から他の番組の録画指示情報が送信された場合のそれぞれにおいて、制御部４６による制御処理が行われる。
【０１６７】
それにより、放送信号受信部４１により予約番組の放送信号を受信することができなくても、他の番組のうち少なくとも一方の番組の放送信号を受信することができる場合には、移動用通信装置４０の記録媒体５０により他の番組が録画される。これにより、予約番組および他の番組のいずれかが録画されない可能性を低減することができる。
【０１６８】
（１−３）第１の実施の形態の効果
第１の実施の形態に係るデジタル放送受信システム１００においては、録画予約されている番組の放送時間の延長により録画が要求される番組の数がチューナ数よりも多くなった場合、デジタル放送受信機１０から移動用通信装置４０に一の番組の録画指示情報が送信され、移動用通信装置４０の記録媒体５０により一の番組が録画される。この場合、デジタル放送受信機１０の番組記録部１２により他の番組が録画される。それにより、延長された番組および他の番組を最後まで録画することができる。
【０１６９】
また、録画予約されている番組の放送時間内に他の番組が録画予約されることにより録画要求数がチューナ数よりも多くなった場合、デジタル放送受信機１０から移動用通信装置４０に一の番組の録画指示情報が送信され、移動用通信装置４０の記録媒体５０により一の番組が録画される。この場合、デジタル放送受信機１０の番組記録部１２により他の番組が録画される。それにより、複数の番組を最後まで録画することができる。
【０１７０】
（２）第２の実施の形態
（２−１）デジタル放送受信機の構成
以下、第２の実施の形態に係るデジタル放送受信システム１００の構成について説明する。第２の実施の形態に係るデジタル放送受信システム１００は、デジタル放送受信機１０の代わりに、以下に示すデジタル放送受信機１０Ｂを備える。
【０１７１】
図１０は、デジタル放送受信システム１００のデジタル放送受信機１０Ｂの構成を示すブロック図である。以下、デジタル放送受信機１０Ｂの構成において、図２に示したデジタル放送受信機１０と異なる点について説明する。
【０１７２】
図１０に示すように、デジタル放送受信機１０Ｂは、デジタル放送受信機１０（図２）の各構成要素に加えて、周波数テーブル記録部２１を含む。また、デジタル放送受信機１０Ｂは、制御部１７（図２）の代わりに制御部１７ｂを含む。
【０１７３】
周波数テーブル記録部２１には、複数の地域（例えば、日本全国）における各放送局のチャンネルを示す周波数テーブルが記録されている。
【０１７４】
図１１は、周波数テーブルの一例である。図１１によれば、例えばＡ放送局の放送信号に対応するチャンネルは、ａ地域において３ｃｈであり、ｂ地域において３４ｃｈである。また、ｅ地域においては、Ａ放送局の番組が放送されておらず、Ａ放送局の放送信号を受信することができない。なお、上述したように、各チャンネルには、所定の中心周波数が割り当てられている。
【０１７５】
制御部１７ｂは、デジタル放送受信機１０Ｂの各構成要素を制御する。制御部１７ｂによる制御処理の詳細については後述する。
【０１７６】
また、本実施の形態で用いられる移動用通信装置４０の構成は、図３に示した移動用通信装置４０と同様である。ただし、制御部４６による制御処理に関しては、第１の実施の形態と異なる。制御部４６による制御処理については後述する。なお、本実施の形態で用いられる移動用通信装置４０においては、記憶部４５（図３）はなくてもよい。
【０１７７】
（２−２）録画時における制御処理
次に、予約番組を録画する際の第２の実施の形態に係るデジタル放送受信システム１００による制御処理について説明する。
【０１７８】
まず、デジタル放送受信機１０Ｂの制御部１７ｂによる制御処理について、デジタル放送受信機１０の制御部１７（図２）による制御処理と異なる点を説明する。
【０１７９】
制御部１７ｂは、予約番組の放送時間の延長により録画要求数がチューナ数よりも多くなった場合、または予約番組の放送時間内に他の番組が録画予約されることにより録画要求数がチューナ数よりも多くなった場合に、周波数テーブル記憶部２１に記録されている周波数テーブルに基づいて予約番組の周波数情報を生成し、その周波数情報を含む予約番組の録画指示情報を移動用通信装置４０に送信する。
【０１８０】
周波数情報は、番組が放送される地域、およびその地域におけるチャンネルを含む。例えば、図１１において、Ａ放送局の番組の周波数情報には、番組が放送される地域として、ａ〜ｄ地域が含まれ、その地域におけるチャンネルとして、ａ地域における３ｃｈ、ｂ地域における３４ｃｈ、ｃ地域における５ｃｈ、およびｄ地域における７ｃｈが含まれる。
【０１８１】
次に、本実施の形態で用いられる移動用通信装置４０の制御部４６による制御処理について、第１の実施の形態における移動用通信装置４０の制御部４６による制御処理と異なる点を説明する。
【０１８２】
制御部４６は、録画指示情報に示される番組を受信するための周波数を特定可能か否かの判定（図６のステップＳ２３参照）、および周波数の特定（図６のステップＳ２４参照）を、位置検出部４４（図３）から取得した位置情報および録画指示情報に含まれる周波数情報に基づいて行う。
【０１８３】
この場合、移動用通信装置４０が現在位置する地域が周波数情報に含まれていれば、番組を受信するための周波数を特定することが可能であり、周波数情報に含まれていなければ、番組を受信するための周波数を特定することができない。
【０１８４】
また、移動用通信装置４０が現在位置する地域が周波数情報に含まれている場合、周波数情報に示されるチャンネルの中から移動用通信装置４０が現在位置する地域に対応するチャンネルを選択することにより周波数を特定することができる。
【０１８５】
（２−３）第２の実施の形態の効果
第２の実施の形態においては、録画予約されている番組の放送時間の延長により録画が要求される番組の数がチューナ数よりも多くなった場合、または、録画予約されている番組の放送時間内に他の番組が録画予約されることにより録画要求数がチューナ数よりも多くなった場合に、デジタル放送受信機１０Ｂの周波数テーブル記録部２１に記録される周波数テーブルに基づいて周波数情報が生成され、その周波数情報を含む録画指示情報が移動用通信装置４０に送信される。
【０１８６】
この場合、移動用通信装置４０においては、周波数情報に基づいて、録画指示情報に示される番組の周波数を容易に特定することができる。それにより、録画指示情報が受信されてから録画指示情報に示される番組の録画を開始するまでの時間が短縮される。
【０１８７】
また、第２の実施の形態における周波数テーブル記録部２１としては、既存のデジタル放送受信機の構成をそのまま利用することができ、容易にかつ安価で迅速に録画を行うことが可能になる。
【０１８８】
さらに、チャンネル情報として記録されている地域以外の地域に移動用通信装置４０があっても、録画指示情報に示される番組の周波数の特定が制御部４６により自動的に行われる。
【０１８９】
そのため、移動用通信装置４０の記録部４５の容量を削減しつつ、迅速に録画を行うことが可能となる。
【０１９０】
（３）第３の実施の形態
（３−１）デジタル放送受信機の構成
以下、第３の実施の形態に係るデジタル放送受信システム１００の構成について説明する。第３の実施の形態に係るデジタル放送受信システム１００は、図１に示したデジタル放送受信機１０の代わりに、以下に示すデジタル放送受信機１０Ｃを備える。
【０１９１】
図１２は、デジタル放送受信機１０Ｃの詳細な構成を示すブロック図である。以下、デジタル放送受信機１０Ｃの構成において、図２に示したデジタル放送受信機１０と異なる点について説明する。
【０１９２】
図１２に示すように、デジタル放送受信機１０Ｃは、図２に示したデジタル放送受信機１０の各構成要素に加えて、Ｉピクチャ記録部３１、ピクチャ監視部３２、記録媒体入出力部３３および合成部３４を備える。また、デジタル放送受信機１０Ｃは、図２に示した制御部１７の代わりに制御部１７ｃを有する。なお、図１２においては、図２に示した延長情報抽出部１３、情報送信部１６および情報受信部１９の図示を省略する。
【０１９３】
Ｉピクチャ記録部３１は、デコーダ１１４から出力される映像データに含まれるＢピクチャ、ＰピクチャおよびＩピクチャのうちＩピクチャを記録する。詳細は後述する。なお、Ｉピクチャ記録部３１は、番組記録部１２と一体であってもよい。この場合、番組記録部１２により、上記のＩピクチャが記録される。
【０１９４】
ピクチャ監視部３２は、分離部１１３から出力される映像ストリームに含まれる各ピクチャのピクチャタイプを検出する。
【０１９５】
記録媒体入出力部３３は、図１の移動用通信装置４０の記録媒体５０に記録されている番組データ（音声データおよび映像データを含む）を入出力する。なお、本実施の形態においては、移動用通信装置４０から取り出された記録媒体５０をデジタル放送受信機１０Ｃに接続することにより、記録媒体５０内の番組データがデジタル放送受信機１０に入力されるが、移動用通信装置４０の記録媒体５０内の番組データがネットワーク等の通信媒体を介してデジタル放送受信機１０に伝送されてもよい。
【０１９６】
合成部３４は、Ｉピクチャ記録部３１に記録されたＩピクチャを用いて記録媒体入出力部３３を介して入力された番組データを補正し、その補正した番組データを番組記録部１２に記録されている番組データに結合する。詳細は後述する。
【０１９７】
また、制御部１７ｃは、図２の制御部１７と同様の制御処理を行うとともに、番組記録部１２、Ｉピクチャ記録部３１、記録媒体入出力部３３および合成部３４を制御する。制御部１７ｃによる制御処理の詳細については後述する。
【０１９８】
（３−２）録画時における制御処理
次に、予約番組を録画する際のデジタル放送受信機１０Ｃの制御部１７ｃによる制御処理について説明する。なお、移動用通信装置４０の制御部４６による制御処理は、上記第１の実施の形態（図６参照）と同様である。
【０１９９】
制御部１７ｃは、制御部１７と同様の処理（図５、図８および図９参照）を行うとともに、以下に示す番組サンプリング処理を行う。
【０２００】
図５または図８に示した第１、第２の制御例において、番組サンプリング処理は、情報送信部１６（図２）により予約番組の録画指示情報が送信されてから予約番組の放送時間が終了するまでの期間に行われる。すなわち、図５に示した第１の制御例においては、ステップＳ５の処理の後であり、図８に示した第２の制御例においては、ステップＳ３４の処理の後である。
【０２０１】
また、図９に示した第３の制御例において、番組サンプリング処理は、情報受信部１９により受信不可信号が受信されない場合に行われ、情報送信部１６により予約番組または他の番組の録画指示情報が送信されてから、その予約番組または他の番組の放送時間が終了するまでの期間に行われる。
【０２０２】
（３−２−１）番組サンプリング処理時の制御
図１３は、制御部１７ｃによる番組サンプリング処理のフローチャートである。
【０２０３】
以下、図１２および図１３を参照して制御部１７ｃによる番組サンプリング処理について説明する。なお、以下の説明においては、録画要求数がチューナ数よりも多い場合に、デジタル放送受信機１０Ｃの番組記録部１２により録画される番組を他の番組とし、移動用放送受信機４０の記録部５８（図３）により録画される番組を予約番組とする。
【０２０４】
まず、制御部１７ｃは、予約番組のＩピクチャ監視処理を行う（ステップＳ９１）。Ｉピクチャ監視処理については後述する。
【０２０５】
次に、制御部１７ｃは、録画予約情報記録部１４に記録されている録画予約情報およびタイマー１５による時刻情報に基づいて、現時刻が他の番組の放送開始時刻であるか否かを判定する（ステップＳ９２）。
【０２０６】
ステップＳ９２において、現時刻が他の番組の放送開始時刻でない場合、制御部１７ｃは、ステップＳ９２の判定を繰り返す。
【０２０７】
現時刻が他の番組の放送開始時刻である場合、制御部１７ｃは、Ｉピクチャ取得処理を行い（ステップＳ９３）、処理を終了する。Ｉピクチャ取得処理については後述する。
【０２０８】
ここで、図１２および図１４を参照して、上記のＩピクチャ監視処理について説明する。なお、Ｉピクチャ監視処理が行われる期間は、予約番組が選局されている。図１４には、制御部１７ｃによるＩピクチャ監視処理のフローチャートが示される。
【０２０９】
まず、制御部１７ｃは、ピクチャ監視部３２により検出されたピクチャタイプを取得する（ステップＳ１０１）。
【０２１０】
次に、制御部１７ｃは、取得したピクチャタイプがＩピクチャを示すか否かを判定する（ステップＳ１０２）。
【０２１１】
ステップＳ１０２において、取得したピクチャタイプがＩピクチャを示さない場合、制御部１７ｃは、ステップＳ１０１の処理に戻る。
【０２１２】
取得したピクチャタイプがＩピクチャを示す場合、制御部１７ｃは、タイマー１５による時刻情報に基づいて、Ｉピクチャの出現時刻を取得する（ステップＳ１０３）。
【０２１３】
次に、制御部１７ｃは、Ｉピクチャ監視処理を開始してから現時刻までにおいて、Ｉピクチャの出現回数がしきい値以上であるか否かを判定する（ステップＳ１０４）。
【０２１４】
ステップＳ１０４において、Ｉピクチャの出現回数がしきい値以上でない場合、制御部１７ｃは、ステップＳ１０１の処理に戻る。
【０２１５】
Ｉピクチャの出現回数がしきい値以上になると、制御部１７ｃは、取得した複数のＩピクチャの出現時刻に基づいて、Ｉピクチャの出現周期を算出する（ステップＳ１０５）。
【０２１６】
次に、制御部１７ｃは、複数のＩピクチャの出現時刻、および算出したＩピクチャの出現周期に基づいて、以後のＩピクチャの出現時刻（以下、Ｉピクチャ出現時刻と呼ぶ）を算出し（ステップＳ１０６）、Ｉピクチャ監視処理を終了する。
【０２１７】
このように、Ｉピクチャ監視処理により、予約番組のＩピクチャ出現時刻が算出される。ここで算出されたＩピクチャ出現時刻を用いて、Ｉピクチャ取得処理が行われる。
【０２１８】
以下、図１２および図１５を参照して、上記のＩピクチャ取得処理について説明する。図１５には、制御部１７ｃによるＩピクチャ取得処理のフローチャートが示される。
【０２１９】
まず、制御部１７ｃは、選局部１１１により他の番組を選局するとともに（ステップＳ１１１）、番組記録部１２による他の番組の録画を開始する（ステップＳ１１２）。
【０２２０】
次に、制御部１７ｃは、タイマー１５による時刻情報に基づいて、現時刻が予約番組のＩピクチャ出現時刻であるか否かを判定する（ステップＳ１１３）。
【０２２１】
現時刻が予約番組のＩピクチャ出現時刻である場合、制御部１７ｃは、選局１１１により予約番組を選局するとともに（ステップＳ１１４）、Ｉピクチャ記録部３１により予約番組のＩピクチャを記録する（ステップＳ１１５）。
【０２２２】
次に、制御部１７ｃは、現時刻が予約番組の放送終了時刻であるか否かを判定する（ステップＳ１１６）。なお、上述のように、予約番組の放送時間が延長された場合、予約番組の放送終了時刻は、延長情報抽出部（図２）により抽出される延長終了情報に基づいて決定される。また、予約時間の放送時間が延長されない場合、予約番組の放送終了時刻は、録画予約情報記録部１４に記録された録画予約情報に基づいて決定される。
【０２２３】
現時刻が予約番組の放送終了時刻である場合、制御部１７ｃは、他の番組を選局し（ステップＳ１１７）、処理を終了する。
【０２２４】
一方、ステップＳ１１３において、現時刻が予約番組のＩピクチャ出現時刻でない場合、制御部１７ｃは、選局部１１１により他の番組を選局するとともに（ステップＳ１１８）、番組記録部１２により他の番組を録画する（ステップＳ１１９）。その後、制御部１７ｃは、ステップＳ１１６の処理に進む。
【０２２５】
また、ステップＳ１１６において、現時刻が予約番組の終了時刻でない場合、制御部１７ｃは、ステップＳ１１３の処理に戻る。
【０２２６】
（３−２−２）番組サンプリング処理時における選局状態
次に、上記の番組サンプリング処理時における選局部１１１（図１２）の選局状態について、図１６を用いて詳細に説明する。
【０２２７】
図１６は、番組サンプリング処理時の選局状態を説明するためのタイミングチャートである。図１６において、横軸は時刻を示し、選局部１１１により選局されている状態をハイレベルで示し、選局部１１１により選局されていない状態をローレベルで示す。
【０２２８】
ここでは、図７の放送予定表において、Ａ放送局の野球中継が予約番組として録画予約され、Ｂ放送局のドラマが他の番組として録画予約されており、野球中継の放送時間が延長される場合について説明する。
【０２２９】
図１６に示すように、まず、野球中継の放送予定時間内（１８時〜２１時）においては、Ａ放送局の放送信号が選局される。ここで、野球中継の放送終了予定時刻（２１時）より前の時刻ｔＳにおいて、Ａ放送局から延長開始情報が送信される。この場合、時刻ｔＳから２１時までの間に、上記のＩピクチャ監視処理が行われる。それにより、野球中継におけるＩピクチャの出現周期Ｔ１およびＩピクチャの出現時刻ｔ１，ｔ２，ｔ３，ｔ４，・・・，ｔｎ−１，ｔｎ，ｔｎ＋１，・・・が算出される。
【０２３０】
次に、野球中継の延長時間、すなわち２１時から野球中継の放送が終了するまでの期間においては、上記のＩピクチャ取得処理が行われる。なお、野球中継の放送終了時刻は、上記のように、放送局から送信される延長終了情報に基づいて決定される。図１６の例において、野球中継の放送終了時刻は、時刻ｔｎと時刻ｔｎ＋１との間の時刻ｔＥである。
【０２３１】
この場合、野球中継のＩピクチャの出現時刻ｔ１，ｔ２，ｔ３，ｔ４，・・・，ｔｎ−１，ｔｎにおいてＡ放送局の放送信号が選局され、Ｉピクチャの出現時刻以外の期間においてＢ放送局の放送信号が選局される。そして、野球中継の放送終了後においては、Ｂ放送局の放送信号が選局される。
【０２３２】
このように、予め算出した予約番組のＩピクチャの出現時刻に基づいて、予約番組および他の番組が適切なタイミングで選局される。それにより、予約番組のＩピクチャをＩピクチャ記録部３１により記録しつつ他の番組の番組データを番組記録部１２により録画することができる。
【０２３３】
（３−３）合成処理
ところで、移動用通信装置４０の記録媒体５０により記録される番組の映像データ（以下、移動録画映像データと呼ぶ）は、１セグメントの放送信号に基づいて得られたものであり、デジタル放送受信機１０により記録される番組の映像データ（以下、本体録画映像データと呼ぶ）に比べてデータ量が少ない。そのため、移動録画映像データに基づいて得られる映像の画質は、本体録画映像データに基づいて得られる映像の画質に比べて劣る。
【０２３４】
そこで、第３の実施の形態では、上記のＩピクチャ取得処理により得られた予約番組のＩピクチャを用いて、予約番組の移動録画映像データを補正する。それにより、予約番組の移動録画映像データに基づいて得られる映像の画質を向上させることができる。
【０２３５】
図１７は、制御部１７ｃによる合成処理のフローチャートである。以下、図１２および図１７を参照して制御部１７ｃによる合成処理について説明する。
【０２３６】
まず、制御部１７ｃは、記録媒体５０に記録された番組データを記録媒体入出力部３３を介して合成部３４に入力する（ステップＳ１２１）。
【０２３７】
次に、制御部１７ｃは、Ｉピクチャ記録部３１に記録されたＩピクチャを合成部３４に入力する（ステップＳ１２２）。
【０２３８】
次に、制御部１７ｃは、記録媒体入出力部３３からの番組データとＩピクチャ記録部３１からのＩピクチャとが同一の番組（予約番組）に対応しているか否かを判定する（ステップＳ１２３）。具体的には、番組の放送信号に含まれる放送識別子に基づいて、その放送信号から得られた各種データがどの番組に対応するかを特定することができる。それにより、記録媒体入出力部３３からの番組データとＩピクチャ記録部３１からのＩピクチャとが同一の番組に対応しているか否かを判定することができる。
【０２３９】
記録媒体入出力部３３からの番組データとＩピクチャ記録部３１からのＩピクチャとが同一の番組（予約番組）に対応している場合、制御部１７ｃは、合成部３４により予約番組の移動録画映像データの画像補正処理を行い（ステップＳ１２４）、予約番組の移動録画映像データを補正する。画像補正処理の具体例については後述する。
【０２４０】
次に、制御部１７ｃは、合成部３４により予約番組の番組データ結合処理を行い（ステップＳ１２５）、記録媒体５０に記録された予約番組の番組データと番組記録部１２に記録された予約番組の番組データとを結合する。その後、制御部１７ｃは合成処理を終了する。なお、番組データ結合処理の詳細については後述する。
【０２４１】
なお、ステップＳ１２３において、記録媒体入出力部３３から出力された番組データとＩピクチャ記録部３１から出力されたＩピクチャとが同一の番組に対応していない場合、制御部１７ｃは、合成処理を終了する。
【０２４２】
（３−３−１）画像補正処理
次に、移動録画映像データの画像補正処理について説明する。
【０２４３】
まず、移動録画映像データおよび本体録画映像データの構成について説明する。図１８は、移動録画映像データおよび本体録画映像データの構成を説明するための模式図である。
【０２４４】
図１８（ａ）に示すように、移動録画映像データＶＤ１は、複数のＩピクチャＩＰ１、複数のＰピクチャＰＰ１および複数のＢピクチャＢＰ１から構成される。また、これらＩピクチャＩＰ１、ＰピクチャＰＰ１およびＢピクチャＢＰ１の各々は、所定数の画素データＥＤから構成される。なお、各画素データは、カラー表示のためのＲ（赤色）信号、Ｇ（緑色）信号およびＢ（青色）信号から構成される。
【０２４５】
また、図１８（ｂ）に示すように、本体録画映像データＶＤ２は、複数のＩピクチャＩＰ２、複数のＰピクチャＰＰ２および複数のＢピクチャＢＰ２から構成される。また、これらＩピクチャＩＰ２、ＰピクチャＰＰ２およびＢピクチャＢＰ２の各々は、それぞれ所定数の画素データＥＤから構成される。なお、各画素データＥＤは、カラー表示のためのＲ（赤色）信号、Ｇ（緑色）信号およびＢ（青色）信号から構成される。
【０２４６】
移動録画映像データＶＤ１の各ピクチャ（ＩピクチャＩＰ１、ＰピクチャＰＰ１およびＢピクチャＢＰ１を含む）を構成する画素データＥＤの数（以下、画素数と呼ぶ）は、本体録画映像データＶＤ２の各ピクチャ（ＩピクチャＩＰ２、ＰピクチャＰＰ２およびＢピクチャＢＰ２を含む）を構成する画素数よりも少ない。
【０２４７】
この場合、上述のように、移動録画映像データＶＤ１に基づいて得られる映像の画質は、本体録画映像データＶＤ２に基づいて得られる映像の画質に比べて劣る。以下、移動録画映像データＶＤ１の画質向上のための画像補正処理について具体的に説明する。
【０２４８】
図１９は、移動録画映像データＶＤ１の画像補正処理の処理過程を示す模式図である。
【０２４９】
なお、図１９において、各画素データＥＤには、Ｒ信号の値の一例が示される。なお、以下に示す図面においても同様とする。
【０２５０】
まず、図１９（ａ）および図１９（ｂ）に示すように、移動録画映像データＶＤ１の各ピクチャにおいて、各画素データＥＤから複数の画素データＥＤａが複製され、移動録画映像データＶＤ１の画素数が本体録画映像データＶＤ２（図１８）の画素数と等しくなるように調整される。
【０２５１】
次に、図１９（ｃ）に示すように、各画素データＥＤａの値が、その画素データＥＤａの周囲に配置される複数の画素データＥＤの値の平均値となるように補正される。
【０２５２】
以下、図１９の処理により得られたＩピクチャＩＰ１、ＰピクチャＰＰ１およびＢピクチャＢＰ１をそれぞれ第１処理ＩピクチャＩＰ１ａ、第１処理ＰピクチャＰＰ１ａおよび第１処理ＢピクチャＢＰ１ａと呼ぶ。
【０２５３】
次に、上記の番組サンプリング処理により得られたＩピクチャＩＰ２（以下、サンプリングＩピクチャと呼ぶ）に基づいて、第１処理ＩピクチャＩＰ１ａが補正される。以下、図２０を用いて具体的に説明する。
【０２５４】
図２０（ａ）は、サンプリングＩピクチャＩＰ２の一部を示す模式図であり、図２０（ｂ）は、第１処理ＩピクチャＩＰ１ａの一部を示す模式図である。なお、図２０に示すサンプリングＩピクチャＩＰ２および第１処理ＩピクチャＩＰ１ａは、同一の標準時刻を示すＰＣＲ（標準時刻情報：Ｐｒｏｇｒａｍ  Ｃｌｏｃｋ  Ｒｅｆｅｒｅｎｃｅ）を有する。すなわち、これらのサンプリングＩピクチャＩＰ２および第１処理ＩピクチャＩＰ１ａは、同一時刻の画像に対応する。
【０２５５】
図２０に示すように、第１処理ＩピクチャＩＰ１ａの各画素データＥＤ，ＥＤａの値がサンプリングＩピクチャＩＰ２の各画素データＥＤの値と等しくなるように、第１処理ＩピクチャＩＰ１ａの各画素データＥＤ，ＥＤａが補正される（図２０（ｃ）参照）。
【０２５６】
また、このとき、各画素データＥＤ，ＥＤａの補正前の値と、各画素データＥＤ，ＥＤａの補正後の値との差分値（以下、補正用差分値と呼ぶ）が算出される（図２０（ｃ）のかっこ内参照）。
【０２５７】
以下、図２０に示す処理により得られたＩピクチャＩＰ１を第２処理ＩピクチャＩＰ１ｂと呼ぶ。なお、上記の処理により算出された補正用差分値の集合が、請求項における基準画像に相当する。
【０２５８】
次に、第２処理ＩピクチャＩＰ１ｂおよび補正用差分値を用いて、移動録画映像データＶＤ１の第１処理ＰピクチャＰＰ１ａ（図１８）が補正される。以下、図２１を参照して具体的に説明する。
【０２５９】
図２１は、第１処理ＰピクチャＰＰ１ａの補正方法について説明するための模式図である。なお、図２１においては、第１処理ＰピクチャＰＰ１ａおよび第２処理ＩピクチャＩＰ１ｂの１２個の各画素データＥＤ，ＥＤａを、画素データＥＤ１〜ＥＤ１２として示す。
【０２６０】
まず、図２１に示すように、第２処理ＩピクチャＩＰ１ｂと第１処理ＰピクチャＰＰ１ａとの間の動きベクトルＶ１が検出される。なお、動きベクトルＶ１を検出する方法としては、マッチング方法または勾配法等がある。
【０２６１】
また、動きベクトルＶ１は、複数の画素データからなるブロック単位で検出される。図２１においては、４つの画素データの集合が１ブロックに相当する。
【０２６２】
動きベクトルＶ１は、第２処理ＩピクチャＩＰ１ｂにおいて画素データＥＤ１，ＥＤ２，ＥＤ５，ＥＤ６により構成されるブロックＢＬ１が、第１処理ＰピクチャＰＰ１ａでは画素データＥＤ１０，ＥＤ１１，ＥＤ１４，ＥＤ１５に移動したことを示す。
【０２６３】
次に、検出した動きベクトルＶ１に基づいて、第２処理ＩピクチャＩＰ１ｂの各画素データと第１処理ＰピクチャＰＰ１ａの画素データとの対応関係が算出される。
【０２６４】
図２１においては、第１処理ＰピクチャＰＰ１ａの画素データＥＤ１０，１１，１４，１５が第２処理ＩピクチャＩＰ１ｂの画素データＥＤ１，ＥＤ２，ＥＤ５，ＥＤ６に対応する。
【０２６５】
次に、算出した対応関係に基づいて、第１処理ＰピクチャＰＰ１ａの各画素データに補正用差分値が加算される。ここでは、図２０（ｃ）の領域Ｈ１のかっこ内に示される補正用加算値が、第２処理ＩピクチャＩＰ１ｂの画素データＥＤ１，ＥＤ２，ＥＤ５，ＥＤ６における補正用差分値であるとする。
【０２６６】
この場合、第２処理ＩピクチャＩＰ１ｂの画素データＥＤ１，ＥＤ２，ＥＤ５，ＥＤ６に対応する第１処理ＰピクチャＰＰ１ａの画素データＥＤ１０，ＥＤ１１，ＥＤ１４，ＥＤ１５の値に図２０（ｃ）の領域Ｈ１の補正用差分値が加算される。
【０２６７】
これにより、高画質の第１処理ＰピクチャＰＰ１ａを得ることができる。以下、図２１の処理により補正された第１処理ＰピクチャＰＰ１ａを第２処理ＰピクチャＰＰ１ｂとする。
【０２６８】
次に、第２処理ＩピクチャＩＰ１ｂおよび第２処理ＰピクチャＰＰ１ｂに基づいて、同様に、ＢピクチャＢＰ１の補正が行われる。
【０２６９】
このようにして、移動録画映像データＶＤ１の画像補正処理が行われ、移動録画映像データＶＤ１のＩピクチャＩＰ１、ＰピクチャＰＰ１およびＢピクチャＢＰ１が補正される。
【０２７０】
なお、ここでは、Ｒ信号、Ｇ信号およびＢ信号のうちＲ信号の値を用いて説明したが、Ｇ信号およびＢ信号の値に関しても同様に補正される。
【０２７１】
（３−３−２）番組データ結合処理
画像補正処理によって得られた移動録画映像データ（以下、復元映像データと呼ぶ）は、番組データ結合処理により、デジタル放送受信機１０Ｃの番組記録部１２に録画されている映像データと結合される。以下、図２２を用いて番組データ結合処理について説明する。なお、図２２においては、予約番組の番組データのうち映像データについて説明する。
【０２７２】
図２２は、番組データ結合処理について説明するための図である。図２２において、上段はデジタル放送受信機１０Ｃの番組記録部１２に記録された予約番組の映像データ（本体録画映像データＶＤ２）を示し、中段は、上述の画像補正処理により得られた予約番組の映像データ（復元映像データ）を示し、下段は、番組データ結合処理により得られた映像データを示す。
【０２７３】
上述のように、本体録画映像データＶＤ２および復元映像データに含まれる各ピクチャ（Ｉピクチャ、ＰピクチャおよびＢピクチャを含む）は、標準時刻を示すＰＣＲを有する。
【０２７４】
図２２においては、本体録画映像データＶＤ２が、ＰＣＲとして“１”、“２”、・・・“１００”を有し、復元映像データが、ＰＣＲとして“９９”、“１００”、・・・“２００”を有する。この場合、本体録画映像データＶＤ２および復元映像データに含まれるＰＣＲ“９９”、“１００”が互いに等しい標準時刻を示すため、制御部１７ｃは、本体録画映像データＶＤ２および復元映像データの時間的対応関係を認識することができる。それにより、本体録画映像データＶＤ２および復元映像データを適切に結合することができる。
【０２７５】
なお、ここでは、番組データのうち映像データの結合処理について説明したが、音声データの結合処理も映像データの結合処理と同様に行われる。
【０２７６】
番組データ結合処理により得られた映像データは、デジタル放送受信機１０の番組記録部１２またはＩピクチャ記録部３１に記録される。
【０２７７】
（３−４）第３の実施の形態の効果
第３の実施の形態においては、録画予約されている番組の放送時間の延長により録画が要求される番組の数がチューナ数よりも多くなった場合、または、録画予約されている番組の放送時間内に他の番組が録画予約されることにより録画要求数がチューナ数よりも多くなった場合に、移動用通信装置４０の記録媒体５０により録画予約されている番組の延長部分または他の番組の番組データが記録されるとともに、デジタル放送受信機１０ＣのＩピクチャ記録部３１により上記の録画予約されている番組の延長部分または他の番組のＩピクチャが記録される。
【０２７８】
この場合、Ｉピクチャ記録部３１により記録されたＩピクチャを用いて、移動用通信装置４０の記録媒体５０により記録された番組の画像データが補正される。それにより、移動用通信装置４０の記録媒体５０により記録された映像データから高画質の映像データを作成することができる。
【０２７９】
また、第３の実施の形態においては、録画予約された番組の放送予定時間内の部分の番組データがデジタル放送受信機１０Ｃの番組記録部１２により記録され、その番組の延長部分のデータが移動用通信装置４０の記録媒体５０により記録された場合、移動用通信装置４０の記録媒体５０により記録された番組データが、デジタル放送受信機１０Ｃの番組記録部１２により記録された番組データに結合され、１つの番組データが作成される。
【０２８０】
この場合、上記のように、移動用通信装置４０の記録媒体５０により記録された映像データから高画質の映像データを作成することにより、デジタル放送受信機１０Ｃの番組記録部１２により記録された映像データと移動用通信装置４０の記録媒体５０により記録された映像データとの画質の差が低減される。それにより、結合された番組データに基づく映像を違和感無く視聴することができる。
【０２８１】
（４）第４の実施の形態
（４−１）デジタル放送受信機の構成
以下、第４の実施の形態に係るデジタル放送受信システム１００の構成について説明する。第４の実施の形態に係るデジタル放送受信システム１００は、図２に示したデジタル放送受信機１０の代わりに、以下に示すデジタル放送受信機１０Ｄを備える。
【０２８２】
図２３は、デジタル放送受信機１０Ｄの詳細な構成を示すブロック図である。以下、デジタル放送受信機１０Ｄの構成において、図１２に示したデジタル放送受信機１０Ｃと異なる点について説明する。
【０２８３】
図２３に示すように、デジタル放送受信機１０Ｄは、図１２に示したデジタル放送受信機１０Ｃの各構成要素に加えて、差分検出部３５を備える。また、デジタル放送受信機１０Ｄは、制御部１７ｃの代わりに制御部１７ｄを備える。
【０２８４】
差分検出部３５は、出力回路１１５から番組記録部１２に出力される映像データに含まれるピクチャ間の差分値（以下、ピクチャ差分値と呼ぶ）を検出する。具体的には、ピクチャ差分値は、例えばＶＰＩＤ（ビデオパケット識別子）内のＢピクチャまたはＰピクチャの有効データ数（動きベクトル等）に基づいて算出される。制御部１７ｄは、デジタル放送受信機１０Ｄの各構成要素を制御する。
【０２８５】
（４−２）録画時における制御処理
次に、予約番組を録画する際のデジタル放送受信機１０Ｄの制御部１７ｄによる制御処理について説明する。デジタル放送受信機１０Ｄの制御部１７ｄは、図１５に示したＩピクチャ取得処理において、デジタル放送受信機１０Ｃの制御部１７ｃ（図１２）と異なる制御処理を行う。なお、移動用通信装置４０の制御部４６による制御処理は、上記第１の実施の形態（図６参照）と同様である。
【０２８６】
以下、図２３および図２４を参照して、制御部１７ｄによるＩピクチャ取得処理について説明する。
【０２８７】
図２４は、制御部１７ｄによるＩピクチャ取得処理のフローチャートである。
【０２８８】
図２４に示すように、まず、制御部１７ｄは、選局部１１１により他の番組を選局するとともに（ステップＳ１３１）、番組記録部１２による他の番組の録画を開始する（ステップＳ１３２）。
【０２８９】
次に、制御部１７ｄは、差分検出部２５により検出されたピクチャ差分値を取得する（ステップＳ１３３）。
【０２９０】
次に、制御部１７ｄは、取得したピクチャ差分値が予め設定されたしきい値以下であるか否かを判定する（ステップＳ１３４）。
【０２９１】
取得したピクチャ差分値が予め設定されたしきい値以下である場合、他の番組の映像の変化が少なく、静止画に近い状態であることが意味している。この場合、制御部１７ｄは、タイマー１５による時刻情報に基づいて、現時刻が予約番組のＩピクチャ出現時刻であるか否かを判定する（ステップＳ１３５）。
【０２９２】
現時刻が予約番組のＩピクチャ出現時刻である場合、制御部１７ｄは、選局１１１により予約番組を選局するとともに（ステップＳ１３６）、Ｉピクチャ記録部３１により予約番組のＩピクチャを記録する（ステップＳ１３７）。
【０２９３】
次に、制御部１７ｄは、現時刻が予約番組の放送終了時刻であるか否かを判定する（ステップＳ１３８）。なお、上述のように、予約番組の放送時間が延長された場合、予約番組の放送終了時刻は、延長情報抽出部（図２）により抽出される延長終了情報に基づいて決定される。また、予約時間の放送時間が延長されない場合、予約番組の放送終了時刻は、録画予約情報記録部１４に記録された録画予約情報に基づいて決定される。
【０２９４】
現時刻が予約番組の放送終了時刻である場合、制御部１７ｄは、他の番組を選局し（ステップＳ１３９）、処理を終了する。
【０２９５】
一方、ステップＳ１３４において、取得したピクチャ差分値が予め設定されたしきい値より大きい場合、他の番組の映像の変化量が大きいことを意味する。この場合、制御部１７ｄは、ステップＳ１３３の処理に戻る。
【０２９６】
また、ステップＳ１３５において、現時刻が予約番組のＩピクチャ出現時刻でない場合、制御部１７ｄは、選局部１１１により他の番組を選局するとともに（ステップＳ１４０）、番組記録部１２により他の番組を録画する（ステップＳ１４１）。
【０２９７】
次に、制御部１７ｄは、現時刻が予約番組の放送終了時刻であるか否かを判定する（ステップＳ１４２）。
【０２９８】
現時刻が予約番組の放送終了時刻である場合、制御部１７ｄは、ステップＳ１３９の処理に進む。
【０２９９】
ステップＳ１４２において、現時刻が予約番組の放送終了時刻でない場合、制御部１７ｄは、ステップＳ１３５の処理に戻る。
【０３００】
また、ステップＳ１３８において、現時刻が予約番組の放送終了時刻でない場合、制御部１７ｄは、ステップＳ１３３の処理に戻る。
【０３０１】
（４−２−ａ）番組サンプリング処理時における選局状態
次に、図２４に示したＩピクチャ取得処理が行われる場合の番組サンプリング処理時における選局部１１１の選局状態について、図２５を用いて詳細に説明する。
【０３０２】
図２５は、第４の実施の形態における番組サンプリング処理時の選局状態を説明するためのタイミングチャートである。図２５において、横軸は時刻を示し、選局部１１１により選局されている状態をハイレベルで示し、選局部１１１により選局されていない状態をローレベルで示す。また、下段に他の番組のピクチャ差分値を示す。
【０３０３】
ここでは、図７の放送予定表において、Ａ放送局の野球中継が予約番組として録画予約され、Ｂ放送局のドラマが他の番組として録画予約されており、野球中継の放送時間が延長される場合について説明する。
【０３０４】
図２５に示すように、まず、野球中継の放送予定時間内（１８時〜２１時）においては、Ａ放送局の放送信号が選局される。ここで、野球中継の放送終了予定時刻（２１時）より前の時刻ｔＳにおいて、Ａ放送局から延長開始情報が送信される。この場合、時刻ｔＳから２１時までの間に、上記のＩピクチャ監視処理が行われる。それにより、野球中継におけるＩピクチャの出現周期Ｔ１およびＩピクチャの出現時刻ｔ１，ｔ２，ｔ３，ｔ４，・・・，ｔｎ−１，ｔｎ，ｔｎ＋１，・・・が算出される。
【０３０５】
次に、野球中継の延長時間、すなわち２１時から野球中継の放送が終了するまでの期間においては、図２４に示したＩピクチャ取得処理が行われる。なお、野球中継の放送終了時刻は、時刻ｔｎと時刻ｔｎ＋１との間の時刻ｔＥである。
【０３０６】
第４の実施の形態では、ドラマのピクチャ差分値がしきい値以下となった場合にのみ、野球中継が選局される。図２５の例では、時刻ｔ２と時刻ｔ３との間の時刻ｔ１１、時刻ｔ３と時刻ｔ４との間の時刻ｔ１２，・・・、および時刻ｔｎ−１と時刻ｔｎとの間の時刻ｔｍにおいて、ドラマのピクチャ差分値がしきい値以下となる。
【０３０７】
この場合、時刻ｔ１１，ｔ１２，・・・，ｔｍの直後の野球中継のＩピクチャの出現時刻ｔ３，ｔ４，・・・，ｔｎにおいてＡ放送局の放送信号が選局され、Ｉピクチャの出現時刻以外の期間、およびドラマのピクチャ差分値がしきい値より大きい期間には、Ｂ放送局の放送信号が選局される。そして、野球中継の放送終了後においては、Ｂ放送局の放送信号が選局される。
【０３０８】
（４−３）第４の実施の形態の効果
第４の実施の形態では、録画予約されている一の番組のＩピクチャをＩピクチャ記録部３１により記録しつつ録画予約されている他の番組の番組データを番組記録部１２により録画する場合において、他の番組のピクチャ差分値がしきい値以下となった場合にのみ、Ｉピクチャの出現時刻に一の番組が選局され、他の番組のピクチャ差分値がしきい値より大きい場合には一の番組のＩピクチャの出現時刻であっても他の番組の放送信号が選局される。
【０３０９】
この場合、一の番組を選局するために他の番組の録画が中断されても、その期間においては、他の番組の映像の変化が小さく、静止画に近い状態である。それにより、番組記録部１２により録画された他の番組を違和感無く視聴することができる。
【０３１０】
（５）第５の実施の形態
（５−１）デジタル受信システムの構成
以下、第５の実施の形態に係るデジタル放送受信システム１００の構成について説明する。第５の実施の形態に係るデジタル放送受信システム１００は、図２に示したデジタル放送受信機１０の代わりに、以下に示すデジタル放送受信機１０Ｅを備える。
【０３１１】
図２６は、デジタル放送受信機１０Ｅの詳細な構成を示すブロック図である。以下、デジタル放送受信機１０Ｅの構成において、図１２に示したデジタル放送受信機１０Ｃと異なる点について説明する。
【０３１２】
図２６に示すように、デジタル放送受信機１０Ｅは、図１２に示したデジタル放送受信機１０Ｃの各構成要素に加えて、フレームメモリ３６、２画面生成部３７および映像補完処理部３８を備える。また、デジタル放送受信機１０Ｅは、制御部１７ｃの代わりに制御部１７ｅを備える。
【０３１３】
なお、第１、第２、第３および第４の実施の形態では、デジタル放送受信機１０Ａ，１０Ｂ，１０Ｃ，１０Ｄが、２つのチューナ１１ａ，１１ｂを有する場合について説明したが、第５の実施の形態では、デジタル放送受信機１０Ｅが、１つのチューナ１１ａを有する場合について説明する。
【０３１４】
フレームメモリ３６は、デコーダ１１４から出力される番組データ（音声データおよび映像データを含む）のＩピクチャを一時的に記憶しつつそのＩピクチャを２画面生成部３７に出力する。
【０３１５】
２画面生成部３７は、フレームメモリ３６から出力されるＩピクチャとデコーダ１１４から出力される映像データとを合成し、Ｉピクチャに基づく映像および映像データに基づく映像をモニタ１１６上で同時に表示するための２画面映像データを生成する。また、２画面生成部３７は、生成された２画面映像データを出力回路１１５に与える。
【０３１６】
映像補完処理部３８は、デコーダ１１４から出力される映像データの映像補完処理を行う。詳細は後述する。
【０３１７】
制御部１７ｅは、デジタル放送受信機１０Ｅの各構成要素を制御する。制御部１７ｅによる制御処理の詳細については後述する。
【０３１８】
図２７は、２画面映像データに基づいて得られる映像の具体例を示す図である。
【０３１９】
図２７に示すように、モニタ１１６上には、画面Ｗ１（斜線部）および画面Ｗ２からなる２画面映像が表示される。本実施の形態では、画面Ｗ１には映像補完処理部３８から出力される映像データに基づく映像が表示され、画面Ｗ２にはフレームメモリ３６から出力されるＩピクチャに基づく映像が表示される。
【０３２０】
以上の構成を有するデジタル放送受信機１０Ｅにおいては、ユーザにより同時間内に２つの番組の視聴が要求された場合、その２つの番組をモニタ１１６上に同時に表示させることができる。
【０３２１】
以下、ユーザにより同時間内に２つの番組の視聴が要求された場合における制御部１７ｅによる制御処理の詳細について説明する。なお、以下の説明において、ユーザにより視聴が要求された２つの番組のうち一方の番組を第１の番組とし、他方の番組を第２の番組とする。
【０３２２】
まず、制御部１７ｅは、選局部１１１により第１の番組の放送信号を選局し、図１４に示したＩピクチャ監視処理を行う。これにより、制御部１７ｅは、第１の番組のＩピクチャ出現時刻を算出する。
【０３２３】
次に、制御部１７ｅは、算出した第１の番組のＩピクチャ出現時刻を用いて２画面表示処理を行う。
【０３２４】
以下、図２６および図２８を参照して２画面表示処理について説明する。図２８は、制御部１７ｅによる２画面表示処理のフローチャートである。
【０３２５】
制御部１７ｅは、タイマー１５による時刻情報に基づいて、現時刻が第１の番組のＩピクチャ出現時刻であるか否かを判定する（ステップＳ１５１）。
【０３２６】
現時刻が第１の番組のＩピクチャ出現時刻である場合、制御部１７ｅは、選局部１１１により第１の番組を選局するとともに（ステップＳ１５２）、フレームメモリ３６に記憶された第１の番組のＩピクチャを更新する（ステップＳ１５３）。この場合、以前に記憶されたＩピクチャが削除され、新たに得られたＩピクチャがフレームメモリ３６に記憶される。
【０３２７】
次に、制御部１７ｅは、映像補完処理部３８により第２の番組の映像補完処理を行う（ステップＳ１５４）。映像補完処理では、選局部１１１により第１の番組が選局されている期間における第２の番組の映像データが、その直前および直後の第２の番組の映像データから動きベクトルを用いて補完される。
【０３２８】
次に、制御部１７ｅは、フレームメモリ３６に新たに記憶されたＩピクチャを２画面生成部３７に入力するとともに（ステップＳ１５５）、映像補完処理後の第２の番組の映像データを２画面生成部３７に入力する（ステップＳ１５６）。
【０３２９】
次に、制御部１７ｅは、フレームメモリ３６からの第１の番組のＩピクチャと映像補完処理後の第２の番組の映像データとを用いて２画面生成部３７により２画面映像データを生成する（ステップＳ１５７）。
【０３３０】
次に、制御部１７ｅは、生成した２画面映像データを出力回路１１５を介してモニタ１１６に出力し（ステップＳ１５８）、ステップＳ１５１の処理に戻る。
【０３３１】
一方、ステップＳ１５１において、現時刻が第１の番組のＩピクチャ出現時刻でない場合、制御部１７ｅは、選局部１１１により第２の番組を選局する（ステップＳ１５９）。
【０３３２】
次に、制御部１７ｅは、フレームメモリ３６に記憶されている第１の番組のＩピクチャを２画面生成部３７に入力するとともに（ステップＳ１６０）、第２の番組の映像データを２画面生成部３７に入力し（ステップＳ１６１）、ステップＳ１５７の処理に進む。この場合、映像補完処理部３８による第２の番組の映像データの映像補完処理は行われない。
【０３３３】
このように、第５の実施の形態においては、第１の番組のＩピクチャおよび第２の番組の映像データを用いて、モニタ１１６上に第１および第２の番組を同時に表示させることができる。本例では、第２の番組の映像は連続的な変化を有する動画として表示される。一方、第１の番組の映像においては、Ｉピクチャに基づく画像がコマ送りで表示される。
【０３３４】
なお、このような構成においても、第１の番組のＩピクチャのみの映像については、図２７に示すモニタ１１６の領域Ｗ２に表示されていることから、連続的な表示でない場合であっても、ユーザは違和感無く第１の番組および第２の番組を視聴することができる。
【０３３５】
（６）変形例
（６−１）
上記第３の実施の形態のデジタル放送受信機１０ＣにおけるＩピクチャ記録部３１、ピクチャ監視部３２、記録媒体入出力部３３および合成部３４を上記第２の実施の形態のデジタル放送受信機１０Ｂに設けてもよい。また、第４の実施の形態のデジタル放送受信機１０Ｄにおける差分検出部３５を、上記第２の実施の形態のデジタル放送受信機１０Ｂに設けてもよい。
【０３３６】
また、上記第５の実施の形態のデジタル放送受信機１０Ｄにおけるフレームメモリ３６、２画面生成部３７および映像補正処理部３８を上記第２の実施の形態のデジタル放送受信機１０Ｂに設けてもよい。
【０３３７】
（６−２）
上記第１〜第５の実施の形態の制御部１７，４６，１７ｂ，１７ｃ，１７ｄ，１７ｅ、延長情報抽出部１３、位置検出部４４、ピクチャ監視部３２、合成部３４、差分検出部３５および２画面生成部３７は、電子回路等のハードウェアにより実現してもよく、あるいはこれらの構成要素のうち一部または全てをＣＰＵ（中央演算処理装置）等のハードウェアとプログラム等のソフトウェアにより実現してもよい。
【０３３８】
（６−３）
上記第１〜第５の実施の形態の番組記録部１２、録画予約情報記録部１４、周波数テーブル記録部２１、Ｉピクチャ記録部３１は、ハードディスク、半導体メモリ、メモリカード、ＤＶＤ等の種々の記録媒体により実現される。
【０３３９】
（６−４）
上記第１〜第４の実施の形態では、デジタル放送受信機１０，１０Ｂ，１０Ｃ，１０Ｄが２つのチューナ１１ａ，１１ｂを有するが、これに限らず、１つまたは３つ以上のチューナを有してもよい。また、上記第５の実施の形態では、デジタル放送受信機１０Ｅが１つのチューナ１１ａを有するが、２つ以上のチューナを有してもよい。
【０３４０】
（６−５）
上記第３および第４の実施の形態のデジタル放送受信機１０Ｃ，１０Ｄは、上記第５の実施の形態と同様に、映像補完処理部３８を備えてもよい。この場合、録画予約されている一の番組のＩピクチャの記録時における他の番組の映像データが補完される。それにより、他の番組を違和感無く視聴することができる。
【０３４１】
（６−６）
上記第１〜第５の実施の形態では、デジタル放送受信機１０，１０Ｂ，１０Ｃ，１０Ｄ，１０Ｅが水平走査線数１０８０本のプログレッシブ方式の映像フォーマットを有する映像データを出力する例を示したが、これに限定されず、映像データが他の映像フォーマットを有してもよい。
【０３４２】
また、上記第１〜第５の実施の形態では、移動用通信装置４０が水平走査線数５２５本のプログレッシブ方式の映像フォーマットを有する映像データを出力する例を示したが、これに限定されず、映像データが他の映像フォーマットを有してもよい。
【０３４３】
（６−７）
上記第１〜第５の実施の形態では、デジタル放送受信機１０，１０Ｂ，１０Ｃ，１０Ｄ，１０Ｅが１２セグメント放送信号を受信し、移動用通信装置４０が１セグメント放送信号を受信する例を示したが、これに限らず、デジタル放送受信機１０，１０Ｂ，１０Ｃ，１０Ｄ，１０Ｅまたは移動用通信装置４０が他の伝送形式の放送信号を受信してもよい。
【０３４４】
（６−８）
上記第１〜第５の実施の形態では、周波数の異なる複数の放送を同時に録画する場合について説明したが、これに限らず、１つの放送信号に含まれる複数のサブ放送を同時に録画してもよい。
【０３４５】
（７）請求項の各構成要素と実施の形態の各部との対応関係
以下、請求項の各構成要素と実施の形態の各部との対応の例について説明するが、本発明は下記の例に限定されない。
【０３４６】
上記実施の形態のデジタル放送受信システム１００においては、チューナ１１ａ，１１ｂが第１の受信部に相当し、録画予約情報記録部１４が情報保持部に相当し、番組記録部１２が第１のデータ記録部に相当し、制御部１０，１０ｂ，１０ｃ，１０ｄ，１０ｅが第１の判別部に相当し、制御部４６が第２の判別部に相当し、情報送信部１６が第１の通信部に相当し、情報受信部４３が第２の通信部に相当し、放送信号受信部４１が第２の受信部に相当し、記録媒体５０が第２のデータ記録部に相当する。
【０３４７】
また、デジタル放送受信機１０においては、チューナ１１ａ，１１ｂが受信部に相当し、録画予約情報記録部１４が情報保持部に相当し、番組記録部１２が第１のデータ記録部に相当し、制御部１０，１０ｂ，１０ｃ，１０ｄ，１０ｅが判別部に相当し、情報送信部１６が通信部に相当し、延長情報抽出部１３が延長情報を抽出する抽出部に相当し、周波数テーブル記録部２１が対応情報記録部に相当し、Ｉピクチャ記録部３１がピクチャ記録部に相当し、合成部３４が補正部に相当し、第２処理ＰピクチャＰＰ１ｂが復元番組データに相当し、制御部１０ｃ，１０ｄ，１０ｅが周期算出部に相当し、差分検出部３５がピクチャ差分検出部に相当し、制御部１０ｄが差分値判定部に相当する。
【０３４８】
また、制御部１０ｅが制御部に相当し、フレームメモリ３６がＩピクチャの抽出部に相当する。
【０３４９】
また、移動用通信装置４０においては、情報受信部４３が通信部に相当し、放送信号受信部４１が受信部に相当し、記録媒体５０がデータ記録部に相当し、記録部４５が対応情報記録部に相当し、制御部４６が判別部に相当し、受信不可信号がデータ取得不可信号に相当する。
【産業上の利用可能性】
【０３５０】
本発明は、一般的なテレビジョン受信機、パーソナルコンピュータ、ＤＶＤレコーダ、携帯電話等のデジタル放送受信機能を有する各種デジタル放送受信装置に利用可能である。
【図面の簡単な説明】
【０３５１】
【図１】図１は本発明に係るデジタル放送受信システムの概要を示す図
【図２】図２は第１の実施の形態に係るデジタル放送受信システムのデジタル放送受信機の構成を示すブロック図
【図３】図３は第１の実施の形態に係る移動用通信装置の構成を示すブロック図
【図４】図４は各放送局の放送信号に対応するチャンネルの一例を示す図
【図５】図５はデジタル放送受信機の制御部による第１の制御例を示すフローチャート
【図６】図６は移動用通信装置の制御部による第１の制御例を示すフローチャート
【図７】図７は番組の放送予定表の一例を示す図
【図８】図８はデジタル放送受信機の制御部による第２の制御例を示すフローチャート
【図９】図９はデジタル放送受信機の制御部による録画指示情報切替処理のフローチャート
【図１０】図１０は第２の実施の形態に係るデジタル放送受信システムのデジタル放送受信機の構成を示すブロック図
【図１１】図１１は周波数テーブルの一例を示す図
【図１２】図１２は第３の実施の形態に係るデジタル放送受信機の詳細な構成を示すブロック図
【図１３】図１３は制御部による番組サンプリング処理のフローチャート
【図１４】図１４は制御部によるＩピクチャ監視処理のフローチャート
【図１５】図１５は制御部によるＩピクチャ取得処理のフローチャート
【図１６】図１６は番組サンプリング処理時の選局状態を説明するためのタイミングチャート
【図１７】図１７は制御部による合成処理のフローチャート
【図１８】図１８は移動録画映像データおよび本体録画映像データの構成を説明するための模式図
【図１９】図１９は画像補正処理の処理過程を示す模式図
【図２０】図２０は画像補正処理の処理過程を示す模式図
【図２１】図２１は画像補正処理の処理過程を示す模式図
【図２２】図２２は番組データ結合処理について説明するための図
【図２３】図２３は第４の実施の形態に係るデジタル放送受信機の詳細な構成を示すブロック図
【図２４】図２４は制御部によるＩピクチャ取得処理のフローチャート
【図２５】図２５は第４の実施の形態における番組サンプリング処理時の選局状態を説明するためのタイミングチャート
【図２６】図２６は第５の実施の形態に係るデジタル放送受信機の詳細な構成を示すブロック図
【図２７】図２７は２画面映像データに基づいて得られる映像の具体例を示す図
【図２８】図２８は制御部による２画面表示処理のフローチャート
【図１】
0004740946.tif 000002
【図２】
0004740946.tif 000003
【図３】
0004740946.tif 000004
【図４】
0004740946.tif 000005
【図５】
0004740946.tif 000006
【図６】
0004740946.tif 000007
【図７】
0004740946.tif 000008
【図８】
0004740946.tif 000009
【図９】
0004740946.tif 000010
【図１０】
0004740946.tif 000011
【図１１】
0004740946.tif 000012
【図１２】
0004740946.tif 000013
【図１３】
0004740946.tif 000014
【図１４】
0004740946.tif 000015
【図１５】
0004740946.tif 000016
【図１６】
0004740946.tif 000017
【図１７】
0004740946.tif 000018
【図１８】
0004740946.tif 000019
【図１９】
0004740946.tif 000020
【図２０】
0004740946.tif 000021
【図２１】
0004740946.tif 000022
【図２２】
0004740946.tif 000023
【図２３】
0004740946.tif 000024
【図２４】
0004740946.tif 000025
【図２５】
0004740946.tif 000026
【図２６】
0004740946.tif 000027
【図２７】
0004740946.tif 000028
【図２８】
0004740946.tif 000029